(57)【特許請求の範囲】
【請求項１】
データ伝送の方法であって、
基地局が複数の無線アクセス技術をサポートする場合、
基地局内の無線装置（ＲＥ）によって、前記ＲＥの２つのポートによってそれぞれサポートされる無線アクセス技術を判定し、
前記無線アクセス技術に対応するデータを、前記２つのポートを使用することによってそれぞれ送信すること
を含み、
前記基地局内の前記ＲＥによって、前記ＲＥの２つのポートによってそれぞれサポートされる無線アクセス技術を判定することは、
前記基地局内の第１の無線装置コントローラ（ＲＥＣ）によって送信されたレイヤ１情報を受信し、前記レイヤ１情報は、前記第１のＲＥＣのスロットＩＤを含み、
前記第１のＲＥＣによってブロードキャストされたＨＤＬＣリンクセットアップメッセージを受信し、前記ＨＤＬＣリンクセットアップメッセージは、前記第１のＲＥＣの前記スロットＩＤと無線アクセス技術の第１のグループに関する指示情報とを含み、無線アクセス技術の前記第１のグループは、前記第１のＲＥＣによってサポートされる無線アクセス技術であり、
前記第１のＲＥＣの前記スロットＩＤに従って、前記第１のＲＥＣによって送信された前記レイヤ１情報を受信した第１のポートが無線アクセス技術の前記第１のグループをサポートすることを判定し、
前記基地局内の第２のＲＥＣによって送信されたレイヤ１情報を受信し、前記レイヤ１情報は、前記第２のＲＥＣのスロットＩＤを含み、
前記第２のＲＥＣによってブロードキャストされたＨＤＬＣリンクセットアップメッセージを受信し、前記ＨＤＬＣリンクセットアップメッセージは、前記第２のＲＥＣの前記スロットＩＤと無線アクセス技術の第２のグループに関する指示情報とを含み、無線アクセス技術の前記第２のグループは、前記第２のＲＥＣによってサポートされる無線アクセス技術であり、
前記第２のＲＥＣの前記スロットＩＤに従って、前記第２のＲＥＣから送信された前記レイヤ１情報を受信した第２のポートが無線アクセス技術の前記第２のグループをサポートすることを判定すること
を含む、方法。
【請求項２】
データ伝送の方法であって、
基地局が複数の無線アクセス技術をサポートする場合、
基地局内の無線装置（ＲＥ）によって、前記ＲＥの２つのポートによってそれぞれサポートされる無線アクセス技術を判定し、
前記無線アクセス技術に対応するデータを、前記２つのポートを使用することによってそれぞれ送信すること
を含み、
前記ＲＥによって、前記ＲＥの２つのポートによってそれぞれサポートされる無線アクセス技術を判定することは、
前記基地局内の第１の無線装置コントローラ（ＲＥＣ）から送信されたレイヤ１情報を受信し、前記レイヤ１情報は、前記第１のＲＥＣのスロットＩＤと無線アクセス技術の第１のグループに関する指示情報とを含み、無線アクセス技術の前記第１のグループは、前記第１のＲＥＣによってサポートされる無線アクセス技術であり、
前記第１のＲＥＣによって送信された前記レイヤ１情報を受信した第１のポートが無線アクセス技術の前記第１のグループをサポートすることを判定し、
前記基地局内の第２のＲＥＣから送信されたレイヤ１情報を受信し、前記レイヤ１情報は、前記第２のＲＥＣのスロットＩＤと無線アクセス技術の第２のグループに関する指示情報とを含み、無線アクセス技術の前記第２のグループは、前記第２のＲＥＣによってサポートされる無線アクセス技術であり、
前記第２のＲＥＣによって送信された前記レイヤ１情報を受信した第２のポートが無線アクセス技術の前記第２のグループをサポートすることを判定すること
を含む、方法。
【請求項３】
データ伝送の方法であって、
基地局が複数の無線アクセス技術をサポートする場合、
基地局内の無線装置（ＲＥ）によって、前記ＲＥの２つのポートによってそれぞれサポートされる無線アクセス技術を判定し、
前記無線アクセス技術に対応するデータを、前記２つのポートを使用することによってそれぞれ送信すること
を含み、
前記２つのポートのうちの第１のポートが無線アクセス技術の第１のグループをサポートし、前記２つのポートのうちの第２のポートが無線アクセス技術の第２のグループをサポートし、前記ＲＥによって受信したリンクモード指示情報が前記基地局のリンクモードが双方向リンクモードであることを示す場合、
前記無線アクセス技術に対応するデータを、前記２つのポートを使用することによってそれぞれ送信することは、
前記ＲＥによって、前記第１のポートを介して、無線アクセス技術の前記第１のグループに対応し且つ第１のＲＥＣによって送信された下りリンクサービスデータを受信し、前記ＲＥのサービスデータを前記下りリンクサービスデータから取得し、第２のＲＥＣによってサポートされ且つ無線アクセス技術の前記第２のグループに対応する上りリンクサービスデータを、無線アクセス技術の前記第１のグループに対応する前記下りリンクサービスデータと結合し、次に、結合されたサービスデータを前記第２のＲＥＣに前記第２のポートを介して送信すること、及び／又は、
前記ＲＥによって、前記第２のポートを介して、無線アクセス技術の前記第２のグループに対応し且つ第２のＲＥＣによって送信された下りリンクサービスデータを受信し、前記ＲＥのサービスデータを前記下りリンクサービスデータから取得し、前記第１のＲＥＣによってサポートされる無線アクセス技術の前記第１のグループに対応し且つ前記ＲＥに対応する上りリンクサービスデータを、無線アクセス技術の前記第２のグループに対応する前記下りリンクサービスデータと結合し、次に、結合されたサービスデータを前記第１のＲＥＣに前記第１のポートを介して送信すること
を含む、方法。
【請求項４】
データ伝送の方法であって、
基地局が複数の無線アクセス技術をサポートする場合、
基地局内の無線装置（ＲＥ）によって、前記ＲＥの２つのポートによってそれぞれサポートされる無線アクセス技術を判定し、
前記無線アクセス技術に対応するデータを、前記２つのポートを使用することによってそれぞれ送信すること
を含み、
リンクモード指示情報を取得し、前記ＲＥによって受信された前記リンクモード指示情報は、前記基地局のリンクモードが双方向リンクモードであることを示し、
制御データを第１のポート及び第２のポートを介してそれぞれ受信し、受信した制御データ内のＨＤＬＣアドレスと、第１のＲＥＣによって前記ＲＥに割り当てられた予め保存されたＨＤＬＣアドレスと、第２のＲＥＣによって前記ＲＥに割り当てられた予め保存されたＨＤＬＣアドレスとに従って、第１のＲＥＣによって送信された下りリンク制御データ及び第２のＲＥＣによって送信された下りリンク制御データを、前記受信した制御データからそれぞれ取得し、
前記第１のＲＥＣに対応する上りリンク制御データを前記第２のＲＥＣに対応する上りリンク制御データと結合し、結合された制御データを複製し、前記結合された制御データの一方の複製を、前記第１のポートを介して受信した制御データと結合し、次に、結合されたデータを前記第２のポートを介して送信し、
前記結合された制御データの他方の複製を前記第２のポートを介して受信した制御データと結合し、次に、結合されたデータを前記第１のポートを介して送信すること
を更に含み、
前記第１のＲＥＣに対応する前記上りリンク制御データは、前記第１のＲＥＣによって割り当てられた前記ＨＤＬＣアドレスを運び、前記第２のＲＥＣに対応する前記上りリンク制御データは、前記第２のＲＥＣによって割り当てられた前記ＨＤＬＣアドレスを運ぶ
方法。
【請求項５】
データ伝送の方法であって、
基地局が複数の無線アクセス技術をサポートする場合、
基地局内の無線装置（ＲＥ）によって、前記ＲＥの２つのポートによってそれぞれサポートされる無線アクセス技術を判定し、
前記無線アクセス技術に対応するデータを、前記２つのポートを使用することによってそれぞれ送信すること
を含み、
前記基地局のリンクモードがデュアルスターリンクモードであることを示すリンクモード指示情報を取得し、
制御データを第１のポート及び第２のポートを介してそれぞれ受信し、受信した制御データ内のＨＤＬＣアドレスと、第１のＲＥＣによって前記ＲＥに割り当てられた予め保存されたＨＤＬＣアドレスと、第２のＲＥＣによって前記ＲＥに割り当てられた予め保存されたＨＤＬＣアドレスとに従って、第１のＲＥＣによって送信された下りリンク制御データ及び第２のＲＥＣによって送信された下りリンク制御データを、前記受信した制御データからそれぞれ取得し、
前記第１のＲＥＣに対応する上りリンク制御データを前記第２のＲＥＣに対応する上りリンク制御データと結合し、結合された制御データを複製し、次に、前記結合された制御データの複製を前記第１及び第２のポートを介してそれぞれ送信すること
を更に含み、
前記第１のＲＥＣに対応する前記上りリンク制御データは、前記第１のＲＥＣによって割り当てられた前記ＨＤＬＣアドレスを運び、前記第２のＲＥＣに対応する前記上りリンク制御データは、前記第２のＲＥＣによって割り当てられた前記ＨＤＬＣアドレスを運ぶ
方法。
【請求項６】
前記第１のＲＥＣによってブロードキャストされた前記ＨＤＬＣリンクセットアップメッセージは、前記ＲＥによってサポートされる無線アクセス技術の前記第１のグループのトポロジスキャン数（ホップ数）と、前記第１のＲＥＣによって前記ＲＥに割り当てられるＨＤＬＣアドレスとを含み、
前記第２のＲＥＣによってブロードキャストされた前記ＨＤＬＣリンクセットアップメッセージは、前記ＲＥによってサポートされる無線アクセス技術の前記第２のグループに対応するホップ数と、前記第２のＲＥＣによって前記ＲＥに割り当てられるＨＤＬＣアドレスとを含み、
前記方法は、
前記ＲＥによって、無線アクセス技術の前記第１のグループに対応する前記ホップ数に従って、前記第１のＲＥＣによってブロードキャストされた前記ＨＤＬＣリンクセットアップメッセージから前記ＨＤＬＣアドレスを取得し、該取得したＨＤＬＣアドレスを保存し、
前記ＲＥによって、無線アクセス技術の前記第２のグループに対応する前記ホップ数に従って、前記第２のＲＥＣによってブロードキャストされた前記ＨＤＬＣリンクセットアップメッセージから前記ＨＤＬＣアドレスを取得し、該取得したＨＤＬＣアドレスを保存すること
を更に含む
請求項１に記載の方法。
【請求項７】
前記第１のＲＥＣによってブロードキャストされたＨＤＬＣリンクセットアップメッセージを受信し、前記第１のＲＥＣによってブロードキャストされた前記ＨＤＬＣリンクセットアップメッセージは、前記ＲＥによってサポートされる無線アクセス技術の前記第１のグループに対応するホップ数と、前記第１のＲＥＣによって前記ＲＥに割り当てられるＨＤＬＣアドレスとを含み、
前記第２のＲＥＣによってブロードキャストされたＨＤＬＣリンクセットアップメッセージを受信し、前記第２のＲＥＣによってブロードキャストされた前記ＨＤＬＣリンクセットアップメッセージは、前記ＲＥによってサポートされる無線アクセス技術の前記第２のグループに対応するホップ数と、前記第２のＲＥＣによって前記ＲＥに割り当てられるＨＤＬＣアドレスとを含み、
前記ＲＥによって、無線アクセス技術の前記第１のグループに対応する前記ホップ数に従って、前記第１のＲＥＣによってブロードキャストされた前記ＨＤＬＣリンクセットアップメッセージから前記ＨＤＬＣアドレスを取得し、前記ＨＤＬＣアドレスを保存し、
前記ＲＥによって、無線アクセス技術の前記第２のグループに対応する前記ホップ数に従って、前記第２のＲＥＣによってブロードキャストされた前記ＨＤＬＣリンクセットアップメッセージから前記ＨＤＬＣアドレスを取得し、前記ＨＤＬＣアドレスを保存すること
を更に含む
請求項２に記載の方法。
【請求項８】
基地局が複数の無線アクセス技術をサポートする場合、前記基地局内の無線装置（ＲＥ）によって、第１のポートを介して、無線アクセス技術の第１のグループに対応し且つＲＥＣによって送信された下りリンクデータを受信し、前記ＲＥによって、前記ＲＥの下りリンクデータを無線アクセス技術の前記第１のグループに対応する前記下りリンクデータから取得し、
前記ＲＥによって、第２のＲＥＣによってサポートされる無線アクセス技術の第２のグループに対応する上りリンクデータを、無線アクセス技術の前記第１のグループに対応する前記下りリンクデータと結合し、次に、結合されたデータを第２のポートを介して前記第２のＲＥＣに送信すること
を含むデータ伝送の方法。
【請求項９】
基地局が複数の無線アクセス技術をサポートする場合、
前記基地局内の第２のＲＥＣによって、第１のＲＥＣから送信されたデータを受信し、ＲＥを通過する際に、前記第１のＲＥＣによって送信された前記データに、前記ＲＥによって前記第２のＲＥＣに送信されるデータが追加され、
前記第２のＲＥＣによって、受信したデータから、前記第２のＲＥＣによってサポートされる無線アクセス技術に対応するデータを取得すること
を含むデータ伝送の方法。
【請求項１０】
前記方法は、
前記第２のＲＥＣによって、リンクから受信したスロットＩＤに従って、前記第１のＲＥＣ及び第２のＲＥＣによってサポートされる無線アクセス技術のグループが異なることを判定し、
前記第２のＲＥＣによって、リンクモードが双方向リンクモードであることを前記リンクから受信されたホップ数に従って判定し、
前記第２のＲＥＣによって、前記双方向リンクモードを示す情報を含むレイヤ１情報を前記ＲＥに送信すること
を更に含むか、又は、
前記方法は、
前記第２のＲＥＣによって、前記第２のＲＥＣ及び第１のＲＥＣによってサポートされる無線アクセス技術のグループが異なることを、リンクから受信された無線アクセス技術情報に従って判定し、
前記第２のＲＥＣによって、リンクモードが双方向リンクモードであることを、前記リンクから受信されたホップ数に従って判定し、
前記第２のＲＥＣによって、前記双方向リンクモードを示す情報を含むレイヤ１情報を前記ＲＥに送信すること
を更に含む
請求項９に記載の方法。
【請求項１１】
前記第２のＲＥＣによって判定された前記リンクモードが、前記第２のＲＥＣ内の予め設定されたリンクモードと異なる場合、リンクモードが異常であることを示すアラームを報告することを更に含む
請求項１０に記載の方法。
【請求項１２】
データ伝送の方法であって、
基地局が複数の無線アクセス技術をサポートする場合、
前記基地局内の第１の無線装置コントローラ（ＲＥＣ）によって、無線アクセス技術の第１のグループに対応し且つ無線装置（ＲＥ）によって第１のポートを介して送信された上りリンクデータを受信し、無線アクセス技術の前記第１のグループに対応する下りリンクデータを送信し、
前記基地局内の第２のＲＥＣによって、無線アクセス技術の第２のグループに対応し且つ前記ＲＥによって第２のポートを介して送信された上りリンクデータを受信し、無線アクセス技術の前記第２のグループに対応する下りリンクデータを前記ＲＥに送信すること
を含み、
前記第１のＲＥＣ及び第２のＲＥＣのうちの任意の１つによって、リンクから受信されたスロットＩＤに従って、前記第１及び第２のＲＥＣのうちの前記１つのＲＥＣによってサポートされる無線アクセス技術のグループが、前記第２及び第１のＲＥＣのうちの他の１つによってサポートされる無線アクセス技術のグループと異なることを判定し、前記リンクから受信されたホップ数に従って、前記リンクのモードがデュアルスターリンクモードであることを判定し、レイヤ１情報を前記ＲＥに送信し、前記Ｌ１情報は、前記デュアルスターリンクモードを示す情報を含むか、又は
前記第１のＲＥＣ及び第２のＲＥＣのうちの任意の１つによって、リンクから受信した無線アクセス技術情報に従って、前記第１のＲＥＣ及び第２のＲＥＣのうちの前記１つのＲＥＣによってサポートされる無線アクセス技術のグループが前記第２のＲＥＣ及び第１のＲＥＣのうちの他の１つのＲＥＣによってサポートされる無線アクセス技術のグループと異なることを判定し、前記リンクから受信されたホップ数に従って、リンクモードがデュアルスターリンクモードであることを判定し、前記デュアルスターリンクモードを示す情報を含むレイヤ１情報を前記ＲＥに送信すること
を更に含む、方法。
【請求項１３】
前記第１又は第２のＲＥＣによって判定された前記リンクモードが前記第１のＲＥＣ又は前記第２のＲＥＣのうちのいずれかによって予め設定されたリンクモードと異なる場合に、リンクモードが異常であることを示すアラームを報告することを更に含む
請求項１２に記載の方法。
【請求項１４】
基地局装置であって、基地局は複数の無線アクセス技術をサポートし、前記基地局装置は、
無線装置（ＲＥ）と、無線アクセス技術の第１のグループをサポートする第１のＲＥＣと、無線アクセス技術の第２のグループをサポートする第２のＲＥＣとを備え、
前記第１のＲＥＣは、無線アクセス技術の前記第１のグループに対応する下りリンクデータを前記ＲＥに送信するように構成され、
前記ＲＥは、第１のポートを介して前記第２のＲＥＣから無線アクセス技術の前記第１のグループに対応する前記下りリンクデータを受信し、前記ＲＥのデータを前記受信した無線アクセス技術の前記第１のグループに対応する下りリンクデータから取得し、無線アクセス技術の第２のグループに対応する上りリンクデータを、無線アクセス技術の前記第１のグループに対応する前記下りリンクデータと結合し、結合されたデータを第２のポートを介して送信するように構成され、
前記第２のＲＥＣは、前記ＲＥによって前記第２のポートを介して送信されたデータを受信し、受信したデータから無線アクセス技術の前記第２のグループに対応する前記上りリンクデータを取得するように構成される
基地局装置。
【請求項１５】
前記第１のＲＥＣは、リンクから受信したスロットＩＤに従って、前記第２のＲＥＣによってサポートされる無線アクセス技術のグループが前記第１のＲＥＣによってサポートされる無線アクセス技術のグループと異なることを判定し、リンクから受信したホップ数に従って、前記リンクのリンクモードが双方向リンクモードであることを判定し、前記双方向リンクモードを示す情報を含むレイヤ１情報を前記ＲＥに送信するように更に構成されるか、又は、
前記第１のＲＥＣは、前記リンクから受信した無線アクセス技術情報に従って、前記第２のＲＥＣによってサポートされる無線アクセス技術のグループが前記第１のＲＥＣによってサポートされる無線アクセス技術のグループと異なることを判定し、前記リンクから受信した前記ホップ数に従ってリンクモードが双方向リンクモードであることを判定し、前記双方向リンクモードを示す情報を含むレイヤ１情報を前記ＲＥに送信するように更に構成される
請求項１４に記載の基地局装置。
【請求項１６】
前記第１のＲＥＣは、判定されたリンクモードが予め設定されたリンクモードと異なる場合、リンクモードが異常であることを示すアラームを報告するように更に構成される
請求項１５に記載の基地局装置。
【請求項１７】
前記第１のＲＥＣは、前記第１のＲＥＣのスロットＩＤを運ぶレイヤ１情報、及び、前記第１のＲＥＣの前記スロットＩＤと無線アクセス技術の前記第１のグループに関する指示情報とを含むＨＤＬＣリンクセットアップメッセージを送信するように更に構成され、
前記第２のＲＥＣは、前記第２のＲＥＣのスロットＩＤを運ぶレイヤ１情報を送信し、前記第２のＲＥＣの前記スロットＩＤと無線アクセス技術の前記第２のグループに関する指示情報とを含むＨＤＬＣリンクセットアップメッセージをブロードキャストするように更に構成され、
前記ＲＥは、前記第１のＲＥＣによって送信された前記レイヤ１情報と前記第１のＲＥＣによってブロードキャストされた前記ＨＤＬＣリンクセットアップメッセージとを受信し、前記第１のＲＥＣの前記スロットＩＤに従って、前記第１のＲＥＣによって送信された前記レイヤ１情報を受信した前記第１のポートが無線アクセス技術の前記第１のグループをサポートすることを判定するように構成され、前記第２のＲＥＣによって送信された前記レイヤ１情報と前記第２のＲＥＣによってブロードキャストされた前記ＨＤＬＣリンクセットアップメッセージとを受信し、前記第２のＲＥＣの前記スロットＩＤに従って、前記第２のＲＥＣによって送信された前記レイヤ１情報を受信した前記第２のポートが無線アクセス技術の前記第２のグループをサポートすることを判定するように更に構成される
請求項１４に記載の基地局装置。
【請求項１８】
前記第１のＲＥＣは、前記第１のＲＥＣのスロットＩＤと無線アクセス技術の前記第１のグループに関する情報とを含むレイヤ１情報を送信するように更に構成され、
前記第２のＲＥＣは、前記第２のＲＥＣのスロットＩＤと、無線アクセス技術の前記第２のグループに関する情報とを含むレイヤ１情報を送信するように更に構成され、
前記ＲＥは、前記第１のＲＥＣによって送信された前記レイヤ１情報を受信し、前記第１のＲＥＣによって送信された前記レイヤ１情報を受信した前記第１のポートが無線アクセス技術の前記第１のグループをサポートすることを判定するように構成され、前記第２のＲＥＣによって送信された前記レイヤ１情報を受信し、前記第２のＲＥＣによって送信された前記レイヤ１情報を受信した前記第２のポートが無線アクセス技術の前記第２のグループをサポートすることを判定するように構成される
請求項１４に記載の基地局装置。
【請求項１９】
基地局装置であって、基地局は複数の無線アクセス技術をサポートし、前記基地局装置は、
ＲＥと、無線アクセス技術の第１のグループをサポートするＲＥＣと、無線アクセス技術の第２のグループをサポートする第２のＲＥＣとを備え、
前記第１のＲＥＣは、無線アクセス技術の第１のグループに対応する下りリンクデータを前記ＲＥに送信し、無線アクセス技術の前記第１のグループに対応し且つ前記ＲＥによって送信された上りリンクデータを受信するように構成され、
前記第２のＲＥＣは、無線アクセス技術の第２のグループに対応する下りリンクデータを前記ＲＥに送信し、無線アクセス技術の前記第２のグループに対応し且つ前記ＲＥによって送信された上りリンクデータを受信するように構成され、
前記第１のＲＥＣは、リンクから受信したスロットＩＤに従って、前記第１のＲＥＣによってサポートされる無線アクセス技術のグループが前記第２のＲＥＣによってサポートされる無線アクセス技術のグループと異なることを判定し、前記リンクがデュアルスターリンクモードにあることを前記リンクから受信したホップ数に従って判定し、前記デュアルスターリンクモードを示す情報を含むレイヤ１情報を前記ＲＥに送信するように更に構成されるか、又は、
前記第１のＲＥＣは、リンクから受信した無線アクセス技術情報に従って、前記第２のＲＥＣによってサポートされる無線アクセス技術のグループが前記第１のＲＥＣによってサポートされる無線アクセス技術のグループと異なることを判定し、前記リンクがデュアルスターリンクモードにあることを前記リンクから受信した前記ホップ数に従って判定し、前記デュアルスターリンクモードを示す情報を含むレイヤ１情報を前記ＲＥに送信するように更に構成される
基地局装置。
【請求項２０】
前記第１のＲＥＣは、前記判定されたリンクモードが予め設定されたリンクモードと異なる場合に、リンクモードが異常であることを示すアラームを報告するように更に構成される
請求項１９に記載の基地局装置。
【請求項２１】
基地局装置であって、基地局は複数の無線アクセス技術をサポートし、前記基地局装置は、
ＲＥと、無線アクセス技術の第１のグループをサポートするＲＥＣと、無線アクセス技術の第２のグループをサポートする第２のＲＥＣとを備え、
前記第１のＲＥＣは、無線アクセス技術の第１のグループに対応する下りリンクデータを前記ＲＥに送信し、無線アクセス技術の前記第１のグループに対応し且つ前記ＲＥによって送信された上りリンクデータを受信するように構成され、
前記第２のＲＥＣは、無線アクセス技術の第２のグループに対応する下りリンクデータを前記ＲＥに送信し、無線アクセス技術の前記第２のグループに対応し且つ前記ＲＥによって送信された上りリンクデータを受信するように構成され、
前記第１のＲＥＣは、前記第１のＲＥＣのスロットＩＤを含むレイヤ１情報を送信し、前記第１のＲＥＣの前記スロットＩＤと無線アクセス技術の前記第１のグループに関する指示情報とを含むＨＤＬＣリンクセットアップメッセージをブロードキャストするように更に構成され、
前記第２のＲＥＣは、前記第２のＲＥＣのスロットＩＤを含むレイヤ１情報を送信し、前記第２のＲＥＣの前記スロットＩＤと無線アクセス技術の前記第２のグループに関する指示情報とを含むＨＤＬＣリンクセットアップメッセージをブロードキャストするように更に構成され、
前記ＲＥは、更に、前記第１のＲＥＣによって送信された前記レイヤ１情報と、前記第１のＲＥＣによってブロードキャストされた前記ＨＤＬＣリンクセットアップメッセージとを受信し、前記第１のＲＥＣの前記スロットＩＤに従って、前記第１のＲＥＣによって送信された前記レイヤ１情報を受信した第１のポートが無線アクセス技術の前記第１のグループをサポートすることを判定するように構成され、前記第２のＲＥＣによって送信された前記レイヤ１情報と前記第２のＲＥＣによってブロードキャストされた前記ＨＤＬＣリンクセットアップメッセージとを受信し、前記第２のＲＥＣの前記スロットＩＤに従って、前記第２のＲＥＣによって送信された前記レイヤ１情報を受信した第２のポートが無線アクセス技術の第２のグループをサポートすることを判定するように構成される
基地局装置。
【請求項２２】
基地局装置であって、基地局は複数の無線アクセス技術をサポートし、前記基地局装置は、
ＲＥと、無線アクセス技術の第１のグループをサポートするＲＥＣと、無線アクセス技術の第２のグループをサポートする第２のＲＥＣとを備え、
前記第１のＲＥＣは、無線アクセス技術の第１のグループに対応する下りリンクデータを前記ＲＥに送信し、無線アクセス技術の前記第１のグループに対応し且つ前記ＲＥによって送信された上りリンクデータを受信するように構成され、
前記第２のＲＥＣは、無線アクセス技術の第２のグループに対応する下りリンクデータを前記ＲＥに送信し、無線アクセス技術の前記第２のグループに対応し且つ前記ＲＥによって送信された上りリンクデータを受信するように構成され、
前記第１のＲＥＣは、前記第１のＲＥＣのスロットＩＤと無線アクセス技術の前記第１のグループに関する指示情報とを含むレイヤ１情報を送信するように更に構成され、
前記第２のＲＥＣは、前記第２のＲＥＣのスロットＩＤと無線アクセス技術の前記第２のグループに関する指示情報とを含むレイヤ１情報を送信するように更に構成され、
前記ＲＥは、前記第１のＲＥＣによって送信された前記レイヤ１情報を受信し、前記第１のＲＥＣによって送信された前記レイヤ１情報を受信した第１のポートが無線アクセス技術の前記第１のグループをサポートすることを判定するように構成され、前記第２のＲＥＣによって送信された前記レイヤ１情報を受信し、前記第２のＲＥＣによって送信された前記レイヤ１情報を受信した第２のポートが無線アクセス技術の前記第２のグループをサポートすることを判定するように構成される
基地局装置。
【請求項２３】
インタフェースモジュールと信号処理モジュールとを備える無線装置（ＲＥ）であって、
前記インタフェースモジュールは、前記ＲＥのサービスデータを無線アクセス技術の第１のグループに対応する下りリンクサービスデータから取得するように構成され、前記下りリンクサービスデータは、第１のＲＥＣによって送信され且つ前記ＲＥによって第１のポートを介して受信され、
前記信号処理モジュールは、前記インタフェースモジュールから無線アクセス技術の前記第１のグループに対応する前記下りリンクサービスデータを受信し、第２のＲＥＣによってサポートされる無線アクセス技術の第２のグループに対応する上りリンクサービスデータを前記インタフェースモジュールに送信するように構成され、
前記インタフェースモジュールは、無線アクセス技術の前記第２のグループに対応し且つ前記信号処理モジュールから受信した前記上りリンクサービスデータを、無線アクセス技術の前記第１のグループに対応する前記下りリンクサービスデータと結合し、次に、結合されたデータを第２のポートを介して前記第２のＲＥＣに送信する
ＲＥ。
【請求項２４】
前記インタフェースモジュールは、前記ＲＥのサービスデータを、無線アクセス技術の前記第２のグループに対応し且つ前記ＲＥによって前記第２のポートを介して前記第２のＲＥＣから受信した下りリンクサービスデータから取得するように更に構成され、
前記信号処理モジュールは、前記インタフェースモジュールから無線アクセス技術の前記第２のグループに対応する前記下りリンクサービスデータを受信し、前記第１のＲＥＣによってサポートされる無線アクセス技術の前記第１のグループに対応する上りリンクサービスデータを前記インタフェースモジュールに送信するように構成され、
前記インタフェースモジュールは、無線アクセス技術の前記第１のグループに対応し且つ前記信号処理モジュールから受信した前記上りリンクサービスデータを、無線アクセス技術の前記第２のグループに対応する前記下りリンクサービスデータと結合し、結合されたデータを前記第１のポートを介して前記第１のＲＥＣに送信するように更に構成される
請求項２３に記載のＲＥ。
【請求項２５】
低レベルソフトウェアモジュールと高レベルソフトウェアモジュールとを更に備え、
前記インタフェースモジュールは、前記第１のポートを介してレイヤ１情報とＨＤＬＣリンクセットアップメッセージとを受信するように構成され、前記第１のポートを介して受信される前記レイヤ１情報は、前記第１のＲＥＣのスロットＩＤを含み、前記第１のポートを介して受信される前記ＨＤＬＣリンクセットアップメッセージは、前記第１のＲＥＣの前記スロットＩＤと無線アクセス技術の前記第１のグループに関する指示情報とを含み、前記インタフェースモジュールは、前記第２のポートを介してレイヤ１情報とＨＤＬＣリンクセットアップメッセージとを受信するように構成され、前記第２のポートを介して受信される前記レイヤ１情報は、前記第２のＲＥＣのスロットＩＤを含み、前記第２のポートを介して受信される前記ＨＤＬＣリンクセットアップメッセージは、前記第２のＲＥＣの前記スロットＩＤと無線アクセス技術の前記第２のグループに関する指示情報とを含み、
前記高レベルソフトウェアモジュールは、前記低レベルソフトウェアモジュールを介して、前記第１のＲＥＣの前記スロットＩＤと前記第１のポートに関する指示情報とを読み取り、第１のＨＤＬＣソフトウェアモジュールを介して、前記第１のポートを介して受信した前記ＨＤＬＣリンクセットアップメッセージ内に含まれる前記第１のＲＥＣの前記スロットＩＤと無線アクセス技術の前記第１のグループに関する指示情報とを読み取り、前記第１のＲＥＣの前記スロットＩＤに従って、前記第１のポートが無線アクセス技術の前記第１のグループをサポートすることを判定するように構成され、前記高レベルソフトウェアモジュールは、前記低レベルソフトウェアモジュールを介して、前記第２のＲＥＣの前記スロットＩＤと前記第２のポートに関する指示情報とを読み取り、第２のＨＤＬＣソフトウェアモジュールを介して、前記第２のポートを介して受信した前記ＨＤＬＣリンクセットアップメッセージ内に含まれる前記第２のＲＥＣの前記スロットＩＤと無線アクセス技術の前記第２のグループに関する指示情報とを読み取り、前記第２のＲＥＣの前記スロットＩＤに従って、前記第２のポートが無線アクセス技術の前記第２のグループをサポートすることを判定するように構成される
請求項２４に記載のＲＥ。
【請求項２６】
低レベルソフトウェアモジュールと高レベルソフトウェアモジュールとを更に備え、
前記インタフェースモジュールは、前記第１のポートを介して、無線アクセス技術の前記第１のグループに関する指示情報を含むレイヤ１情報を受信するように構成され、前記第２のポートを介して、無線アクセス技術の前記第２のグループに関する指示情報を含むレイヤ１情報を受信するように構成され、
前記高レベルソフトウェアモジュールは、前記低レベルソフトウェアモジュールを介して、無線アクセス技術の前記第１のグループに関する指示情報と前記第１のポートに関する指示情報とを読み取り、前記第１のポートが無線アクセス技術の前記第１のグループをサポートすることを判定するように構成され、前記低レベルソフトウェアモジュールを介して、無線アクセス技術の前記第２のグループに関する指示情報と前記第２のポートに関する指示情報とを読み取り、前記第２のポートが無線アクセス技術の前記第２のグループをサポートすることを判定するように構成される
請求項２４に記載のＲＥ。
【請求項２７】
前記第１のＲＥＣによってブロードキャストされたＨＤＬＣリンクセットアップメッセージを受信し、前記ＨＤＬＣリンクセットアップメッセージは、前記ＲＥによってサポートされる無線アクセス技術の前記第１のグループに対応するホップ数と、前記第１のＲＥＣによって前記ＲＥに割り当てられるＨＤＬＣアドレスとを含み、前記ＨＤＬＣリンクセットアップメッセージから、前記ＲＥによってサポートされる無線アクセス技術の前記第１のグループに対応する前記ホップ数に従って、前記第１のＲＥＣによって前記ＲＥに割り当てられる前記ＨＤＬＣアドレスを取得し、取得したＨＤＬＣアドレスを保存するように構成された第１のＨＤＬＣソフトウェアモジュールと、
前記第２のＲＥＣによってブロードキャストされたＨＤＬＣリンクセットアップメッセージを受信し、前記ＨＤＬＣリンクセットアップメッセージは、前記ＲＥによってサポートされる無線アクセス技術の前記第２のグループに対応するホップ数と、前記第２のＲＥＣによって前記ＲＥに割り当てられるＨＤＬＣアドレスとを含み、前記ＨＤＬＣリンクセットアップメッセージから、前記第２のＲＥＣによって前記ＲＥに割り当てられる前記ＨＤＬＣアドレスを、前記ＲＥによってサポートされる無線アクセス技術の第２のグループの前記ホップ数に従って取得し、取得したＨＤＬＣアドレスを保存するように構成された第２のＨＤＬＣソフトウェアモジュールと、
を更に備える
請求項２４に記載のＲＥ。
【請求項２８】
前記インタフェースモジュールは、更に、制御データを、前記第１のポート及び前記第２のポートからそれぞれ受信し、受信した制御データをキューイングするように構成され、無線アクセス技術の前記第１のグループに対応し且つ前記第１のＨＤＬＣソフトウェアモジュールから受信した上りリンク制御データを、無線アクセス技術の前記第２のグループに対応し且つ前記第２のＨＤＬＣソフトウェアモジュールからの上りリンク制御データと結合し、結合された制御データを複製するように構成され、前記結合された制御データの一方の複製を、前記第１のポートを介して受信した制御データと結合し、次に、前記第２のポートを介して、前記一方の複製と前記第１のポートを介して受信した制御データとの結合されたデータを送信し、他方の複製を前記第２のポートを介して受信した制御データと結合し、前記第１のポートを介して、前記他方の複製と前記第２のポートを介して受信した制御データとの結合されたデータを送信するように構成され、
前記第１のＨＤＬＣソフトウェアモジュールは、キュー内の前記制御データのＨＤＬＣアドレスと、前記第１のＲＥＣによって前記ＲＥに割り当てられて保存されたＨＤＬＣアドレスとに従って、前記キューから、無線アクセス技術の前記第１のグループに対応する下りリンク制御データを取得するように更に構成され、
前記第２のＨＤＬＣソフトウェアモジュールは、前記キューから、無線アクセス技術の前記第２のグループに対応する下りリンク制御データを、前記キュー内の前記制御データの前記ＨＤＬＣアドレスと、前記第２のＲＥＣによって前記ＲＥに割り当てられて保存されたＨＤＬＣアドレスとに従って取得するように更に構成される
請求項２７に記載のＲＥ。
【請求項２９】
インタフェースモジュールと信号処理モジュールとを備える無線装置（ＲＥ）であって、
前記インタフェースモジュールは、第１のポートを介して、前記ＲＥによって第１のポートを介して受信され且つ第１のＲＥＣによって送信された下りリンクサービスデータを受信し、前記第１のＲＥＣによって送信された前記下りリンクサービスデータは、無線アクセス技術の第１のグループに対応し、受信した下りリンクサービスデータを前記信号処理モジュールに送信するように構成され、第２のポートを介して、無線アクセス技術の第２のグループに対応し且つ第２のＲＥＣによって送信された下りリンクサービスデータを受信し、前記下りリンクサービスデータを前記信号処理モジュールに送信するように構成され、
前記信号処理モジュールは、前記インタフェースモジュールから、無線アクセス技術の前記第１のグループに対応する前記下りリンクサービスデータを受信し、前記第１のＲＥＣによってサポートされる無線アクセス技術の前記第１のグループに対応する上りリンクサービスデータを前記インタフェースモジュールに送信するように構成され、無線アクセス技術の前記第２のグループに対応する前記下りリンクサービスデータを前記インタフェースモジュールから受信し、前記第２のＲＥＣに属する無線アクセス技術の前記第２のグループに対応する上りリンクサービスデータを前記インタフェースモジュールに送信するように構成され、
前記インタフェースモジュールは、第１のポートを介して、前記信号処理モジュールからの無線アクセス技術の前記第１のグループをサポートする前記第１のＲＥＣの前記上りリンクサービスデータを前記第１のＲＥＣに送信し、第２のポートを介して、前記信号処理モジュールからの無線アクセス技術の前記第２のグループをサポートする前記第２のＲＥＣの前記上りリンクサービスデータを前記第２のＲＥＣに送信し、
低レベルソフトウェアモジュールと高レベルソフトウェアモジュールとを更に備え、
前記インタフェースモジュールは、前記第１のポートを介して、レイヤ１情報とＨＤＬＣリンクセットアップメッセージとを受信するように構成され、前記レイヤ１情報は、前記第１のＲＥＣのスロットＩＤを含み、前記ＨＤＬＣリンクセットアップメッセージは、前記第１のＲＥＣの前記スロットＩＤと無線アクセス技術の前記第１のグループに関する指示情報とを含み、前記インタフェースモジュールは、前記第２のポートを介して、レイヤ１情報とＨＤＬＣリンクセットアップメッセージとを受信するように構成され、前記第２のポートを介して受信される前記レイヤ１情報は、前記第２のＲＥＣのスロットＩＤを含み、前記第２のポートを介して受信される前記ＨＤＬＣリンクセットアップメッセージは、前記第２のＲＥＣの前記スロットＩＤと無線アクセス技術の前記第２のグループに関する指示情報とを含み、
前記高レベルソフトウェアモジュールは、前記低レベルソフトウェアモジュールを介して、前記第１のＲＥＣの前記スロットＩＤと前記第１のポートに関する指示情報とを読み取り、第１のＨＤＬＣソフトウェアモジュールを介して、前記第１のポートを介して受信した前記ＨＤＬＣリンクセットアップメッセージ内に含まれる前記第１のＲＥＣの前記スロットＩＤと無線アクセス技術の前記第１のグループに関する指示情報とを読み取り、前記第１のＲＥＣの前記スロットＩＤに従って、前記第１のポートが無線アクセス技術の前記第１のグループをサポートすることを判定するように構成され、前記高レベルソフトウェアモジュールは、前記低レベルソフトウェアモジュールを介して、前記第２のＲＥＣの前記スロットＩＤと前記第２のポートに関する指示情報とを読み取り、第２のＨＤＬＣソフトウェアモジュールを介して、前記第２のポートを介して受信した前記ＨＤＬＣリンクセットアップメッセージ内に含まれる前記第２のＲＥＣの前記スロットＩＤと無線アクセス技術の前記第２のグループに関する指示情報とを読み取り、前記第２のＲＥＣの前記スロットＩＤに従って、前記第２のポートが無線アクセス技術の前記第２のグループをサポートすることを判定するように構成される
ＲＥ。
【請求項３０】
インタフェースモジュールと信号処理モジュールとを備える無線装置（ＲＥ）であって、
前記インタフェースモジュールは、第１のポートを介して、前記ＲＥによって第１のポートを介して受信され且つ第１のＲＥＣによって送信された下りリンクサービスデータを受信し、前記第１のＲＥＣによって送信された前記下りリンクサービスデータは、無線アクセス技術の第１のグループに対応し、受信した下りリンクサービスデータを前記信号処理モジュールに送信するように構成され、第２のポートを介して、無線アクセス技術の第２のグループに対応し且つ第２のＲＥＣによって送信された下りリンクサービスデータを受信し、前記下りリンクサービスデータを前記信号処理モジュールに送信するように構成され、
前記信号処理モジュールは、前記インタフェースモジュールから、無線アクセス技術の前記第１のグループに対応する前記下りリンクサービスデータを受信し、前記第１のＲＥＣによってサポートされる無線アクセス技術の前記第１のグループに対応する上りリンクサービスデータを前記インタフェースモジュールに送信するように構成され、無線アクセス技術の前記第２のグループに対応する前記下りリンクサービスデータを前記インタフェースモジュールから受信し、前記第２のＲＥＣに属する無線アクセス技術の前記第２のグループに対応する上りリンクサービスデータを前記インタフェースモジュールに送信するように構成され、
前記インタフェースモジュールは、第１のポートを介して、前記信号処理モジュールからの無線アクセス技術の前記第１のグループをサポートする前記第１のＲＥＣの前記上りリンクサービスデータを前記第１のＲＥＣに送信し、第２のポートを介して、前記信号処理モジュールからの無線アクセス技術の前記第２のグループをサポートする前記第２のＲＥＣの前記上りリンクサービスデータを前記第２のＲＥＣに送信し、
低レベルソフトウェアモジュールと高レベルソフトウェアモジュールとを更に備え、
前記インタフェースモジュールは、前記第１のポートを介して、無線アクセス技術の前記第１のグループに関する指示情報を含むレイヤ１情報を受信するように構成され、前記第２のポートを介して、無線アクセス技術の前記第２のグループに関する指示情報を含むレイヤ１情報を受信するように構成され、
前記高レベルソフトウェアモジュールは、前記低レベルソフトウェアモジュールを介して、無線アクセス技術の前記第１のグループに関する指示情報と前記第１のポートに関する指示情報とを読み取り、前記第１のポートが無線アクセス技術の前記第１のグループをサポートすることを判定するように構成され、前記低レベルソフトウェアモジュールを介して、無線アクセス技術の前記第２のグループに関する指示情報と前記第２のポートに関する指示情報とを読み取り、前記第２のポートが無線アクセス技術の前記第２のグループをサポートすることを判定するように構成される
ＲＥ。
【請求項３１】
インタフェースモジュールと信号処理モジュールとを備える無線装置（ＲＥ）であって、
前記インタフェースモジュールは、第１のポートを介して、前記ＲＥによって第１のポートを介して受信され且つ第１のＲＥＣによって送信された下りリンクサービスデータを受信し、前記第１のＲＥＣによって送信された前記下りリンクサービスデータは、無線アクセス技術の第１のグループに対応し、受信した下りリンクサービスデータを前記信号処理モジュールに送信するように構成され、第２のポートを介して、無線アクセス技術の第２のグループに対応し且つ第２のＲＥＣによって送信された下りリンクサービスデータを受信し、前記下りリンクサービスデータを前記信号処理モジュールに送信するように構成され、
前記信号処理モジュールは、前記インタフェースモジュールから、無線アクセス技術の前記第１のグループに対応する前記下りリンクサービスデータを受信し、前記第１のＲＥＣによってサポートされる無線アクセス技術の前記第１のグループに対応する上りリンクサービスデータを前記インタフェースモジュールに送信するように構成され、無線アクセス技術の前記第２のグループに対応する前記下りリンクサービスデータを前記インタフェースモジュールから受信し、前記第２のＲＥＣに属する無線アクセス技術の前記第２のグループに対応する上りリンクサービスデータを前記インタフェースモジュールに送信するように構成され、
前記インタフェースモジュールは、第１のポートを介して、前記信号処理モジュールからの無線アクセス技術の前記第１のグループをサポートする前記第１のＲＥＣの前記上りリンクサービスデータを前記第１のＲＥＣに送信し、第２のポートを介して、前記信号処理モジュールからの無線アクセス技術の前記第２のグループをサポートする前記第２のＲＥＣの前記上りリンクサービスデータを前記第２のＲＥＣに送信し、
第１のＨＤＬＣソフトウェアモジュールと第２のＨＤＬＣソフトウェアモジュールとを更に備え、
前記第１のＨＤＬＣソフトウェアモジュールは、前記第１のＲＥＣによってブロードキャストされたＨＤＬＣリンクセットアップメッセージを受信するように構成され、前記第１のＲＥＣによってブロードキャストされた前記ＨＤＬＣリンクセットアップメッセージは、前記ＲＥによってサポートされる無線アクセス技術の前記第１のグループに対応するホップ数と、無線アクセス技術の前記第１のグループに対応する前記第１のＲＥＣによって割り当てられるＨＤＬＣアドレスとを含み、前記ＲＥによってサポートされる無線アクセス技術の前記第１のグループに対応する前記ホップ数に対応する前記ＨＤＬＣアドレスを取得し、取得したＨＤＬＣアドレスを保存するように構成され、
前記第２のＨＤＬＣソフトウェアモジュールは、前記第２のＲＥＣによってブロードキャストされたＨＤＬＣリンクセットアップメッセージを受信するように構成され、前記第２のＲＥＣによってブロードキャストされた前記ＨＤＬＣリンクセットアップメッセージは、前記ＲＥによってサポートされる無線アクセス技術の前記第２のグループに対応するホップ数と、前記ＲＥによってサポートされる無線アクセス技術の前記第２のグループに対応する前記第２のＲＥＣによって割り当てられるＨＤＬＣアドレスとを含み、前記ＲＥによってサポートされる無線アクセス技術の前記第２のグループに対応する前記ホップ数に対応する前記ＨＤＬＣアドレスを取得し、取得したＨＤＬＣアドレスを保存するように構成される、
ＲＥ。
【請求項３２】
前記インタフェースモジュールは、制御データを前記第１のポート及び前記第２のポートを介してそれぞれ受信し、受信した制御データをキューイングするように構成され、無線アクセス技術の前記第１のグループに対応し且つ前記第１のＨＤＬＣソフトウェアモジュールから受信した上りリンク制御データを、前記第２のＨＤＬＣソフトウェアモジュールから受信した無線アクセス技術の前記第２のグループに対応する上りリンク制御データと結合し、結合された制御データを複製し、複製を前記第１のポート及び前記第２のポートを介してそれぞれ送信するように更に構成され、
前記第１のＨＤＬＣソフトウェアモジュールは、キュー内の前記制御データ内のＨＤＬＣアドレスと前記第１のＲＥＣによって前記ＲＥに割り当てられて保存されたＨＤＬＣアドレスとに従って、無線アクセス技術の前記第１のグループに対応する下りリンク制御データを取得するように構成され、
前記第２のＨＤＬＣソフトウェアモジュールは、無線アクセス技術の前記第２のグループに対応する下りリンク制御データを、前記キュー内の前記制御データ内の前記ＨＤＬＣアドレスと前記第２のＲＥＣによって前記ＲＥに割り当てられて保存されたＨＤＬＣアドレスとに従って取得するように構成される
請求項３１に記載のＲＥ。
【請求項３３】
インタフェースモジュールと信号処理モジュールとを備える無線装置コントローラ（ＲＥＣ）であって、
前記インタフェースモジュールは、ピアＲＥＣによって送信され且つ無線装置（ＲＥ）を通過したサービスデータを受信し、受信したサービスデータから、前記ＲＥＣによってサポートされる無線アクセス技術に対応する上りリンクサービスデータを取得するように構成され、伝送の間、前記サービスデータには、前記ＲＥＣによってサポートされる前記無線アクセス技術に対応し且つ前記ＲＥによって前記ＲＥＣに送信される前記上りリンクサービスデータが追加され、
前記信号処理モジュールは、前記ＲＥＣによってサポートされる前記無線アクセス技術に対応する前記上りリンクサービスデータを受信するように構成される
ＲＥＣ。
【請求項３４】
前記インタフェースモジュールは、制御データを受信するように更に構成され、
前記ＲＥＣは、更に、
前記インタフェースモジュールによって受信した前記制御データから、前記ＲＥＣによってサポートされる無線アクセス技術に対応する制御データを取得するように構成されるＨＤＬＣソフトウェアモジュールを備える
請求項３３に記載のＲＥＣ。
【請求項３５】
低レベルソフトウェアと高レベルソフトウェアとを更に備え、
前記インタフェースモジュールは、前記ピアＲＥＣのスロットＩＤと前記ピアＲＥＣのホップ数とを含むレイヤ１情報を第１のポートを介して受信するように更に構成され、
前記高レベルソフトウェアモジュールは、低レベルソフトウェアモジュールを介して、前記ピアＲＥＣの前記スロットＩＤと前記ピアＲＥＣの前記ホップ数とを読み取り、前記ピアＲＥＣの前記スロットＩＤに従って、前記ピアＲＥＣによってサポートされる無線アクセス技術のグループが前記ＲＥＣによってサポートされる無線アクセス技術のグループと異なることを判定し、前記ホップ数に従って、リンクモードが双方向リンクモード又はデュアルスターモードであることを判定し、前記低レベルソフトウェアモジュールを介して、判定されたリンクモードに関する指示情報を含むレイヤ１情報を送信するよう前記インタフェースモジュールを制御するように構成される
請求項３３に記載のＲＥＣ。
【請求項３６】
低レベルソフトウェアと高レベルソフトウェアとを更に備え、
前記インタフェースモジュールは、ピアＲＥＣによってサポートされる無線アクセス技術に関する指示情報とホップ数とを含むレイヤ１情報を第１のポートを介して受信するように更に構成され、
前記高レベルソフトウェアモジュールは、前記低レベルソフトウェアモジュールを介して、前記ピアＲＥＣによってサポートされる無線アクセス技術に関する指示情報と前記ホップ数とを読み取り、前記ピアＲＥＣによってサポートされる無線アクセス技術に関する指示情報に従って、前記ピアＲＥＣによってサポートされる無線アクセス技術のグループが前記ＲＥＣによってサポートされる無線アクセス技術のグループと異なることを判定し、リンクモードが双方向リンクモード又はデュアルスターモードであることを前記ホップ数に従って判定し、前記低レベルソフトウェアモジュールを介して、判定されたリンクモードに関する指示情報を含むレイヤ１情報を送信するよう前記インタフェースモジュールを制御するように構成される
請求項３３に記載のＲＥＣ。
【請求項３７】
前記高レベルソフトウェアモジュールは、判定されたリンクモードが予め設定されたリンクモードと異なる場合に、リンクモードが異常であることを示すアラームを報告するように更に構成される
請求項３５又は３６に記載のＲＥＣ。
【請求項３８】
請求項２３〜３２のいずれか一項に記載の前記ＲＥを備える
基地局装置。
【請求項３９】
請求項３３〜３７のいずれか一項に記載の前記ＲＥＣを備える
基地局装置。
【発明の詳細な説明】
【技術分野】
【０００１】
本発明は、通信技術に関し、特に、データ伝送の方法及び装置に関する。
【背景技術】
【０００２】
ＣＰＲＩ（Ｃｏｍｍｏｎ  Ｐｕｂｌｉｃ  Ｒａｄｉｏ  Ｉｎｔｅｒｆａｃｅ（共通公衆無線インタフェース））仕様は、無線基地局の内部のＲＥＣ（Ｒａｄｉｏ  Ｅｑｕｉｐｍｅｎｔ  Ｃｏｎｔｒｏｌｌｅｒ（無線装置制御装置））とＲＥ（Ｒａｄｉｏ  Ｅｑｕｉｐｍｅｎｔ（無線装置））との間のインタフェースのための仕様である。ＣＰＲＩは、ユーザデータプレーン（ｕｓｅｒ  ｄａｔａ  ｐｌａｎｅ）、管理及び制御プレーン（ｍａｎａｇｅｍｅｎｔ  ａｎｄ  ｃｏｎｔｒｏｌ  ｐｌａｎｅ）、並びに、同期制御プレーン（ｓｙｎｃｈｒｏｎｉｚａｔｉｏｎ  ｃｏｎｔｒｏｌ  ｐｌａｎｅ）という３つのプレーンを含む。関連するプロトコルに従って、ＣＰＲＩは、物理レイヤ（レイヤ１、Ｌ１）、リンクレイヤ（レイヤ２、Ｌ２）、及びアプリケーションレイヤ（レイヤ３、Ｌ３）という３つのレイヤに分割される。ＣＰＲＩリンクに関するトポロジ情報（ＣＰＲＩリンクに関するヘッダ及びテーラ情報並びにＲＥ位置情報を含む）を知るために、ＲＥＣは、サービスデータ（例えば、ＩＱデータ）及び制御データ（例えば、ＨＤＬＣ（ハイレベルデータリンク制御）データ）をＣＰＲＩリンクを通じて送信し、ＴＯＰスキャン（トポロジスキャン）を実行する。
【発明の概要】
【発明が解決しようとする課題】
【０００３】
複数の無線アクセス技術を同時にサポートすることが可能な基地局は、従来技術において利用可能であり、これは、マルチモード基地局と呼ばれる。しかし、従来のマルチモード基地局におけるＲＥＣとＲＥとの間のＣＰＲＩリンクは、単一の無線アクセス技術をサポートするのみである。
【課題を解決するための手段】
【０００４】
一態様では、本発明の一実施形態は、データ伝送の方法を提供する。この方法は、
基地局が複数の無線アクセス技術をサポートする場合、
基地局内の無線装置（ＲＥ）によって、ＲＥの２つのポートによってそれぞれサポートされる無線アクセス技術を判定し、
無線アクセス技術に対応するデータを、２つのポートを使用することによってそれぞれ送信することを含む。
【０００５】
別の態様では、本発明の一実施形態は、データ伝送の別の方法を提供する。この方法は、
基地局が複数の無線アクセス技術をサポートする場合、基地局内の無線装置（ＲＥ）によって、第１のポートを介して、無線アクセス技術の第１のグループに対応し且つＲＥＣによって送信された下りリンクデータを受信し、ＲＥによって、そのＲＥの下りリンクデータを、無線アクセス技術の第１のグループに対応する下りリンクデータから取得し、
ＲＥによって、第２のＲＥＣによってサポートされる無線アクセス技術の第２のグループに対応する上りリンクデータを、無線アクセス技術の第１のグループに対応する下りリンクデータと結合し、次に、結合されたデータを第２のポートを介して第２のＲＥＣに送信することを含む。
【０００６】
別の態様では、本発明の一実施形態は、データ伝送の別の方法を提供する。この方法は、
基地局が複数の無線アクセス技術をサポートする場合、
基地局内の無線装置（ＲＥ）によって、第１のポートを介して、無線アクセス技術の第１のグループに対応し且つ第１のＲＥＣによって送信された下りリンクデータを受信し、無線アクセス技術の第１のグループに対応する上りリンクデータを第１のポートを介して第１のＲＥＣに送信し、
ＲＥによって、第２のポートを介して、無線アクセス技術の第２のグループに対応し且つ第２のＲＥＣによって送信された下りリンクデータを受信し、ＲＥによって、第２のポートを介して、無線アクセス技術の第２のグループに対応する上りリンクデータを第２のＲＥＣに送信することを含む。
【０００７】
別の態様では、本発明の一実施形態は、データ伝送の別の方法を提供する。この方法は、
基地局が複数の無線アクセス技術をサポートする場合、
基地局内の第２のＲＥＣによって、第１のＲＥＣから送信されたデータを受信し、ここで、ＲＥを通過する際に、第１のＲＥＣによって送信されたデータに、ＲＥによって第２のＲＥＣに送信されるデータが追加され、
第２のＲＥＣによって、受信したデータから、第２のＲＥＣによってサポートされる無線アクセス技術に対応するデータを取得することを含む。
【０００８】
別の態様では、本発明の一実施形態は、データ伝送の別の方法を提供する。この方法は、
基地局が複数の無線アクセス技術をサポートする場合、
基地局内の第１の無線装置コントローラ（ＲＥＣ）によって、無線アクセス技術の第１のグループに対応し且つ無線装置（ＲＥ）によって第１のポートを介して送信された上りリンクデータを受信し、無線アクセス技術の第１のグループに対応する下りリンクデータを送信し、
基地局内の第２のＲＥＣによって、無線アクセス技術の第２のグループに対応し且つＲＥによって第２のポートを介して送信された上りリンクデータを受信し、無線アクセス技術の第２のグループに対応する下りリンクデータをＲＥに送信することを含む。
【０００９】
別の態様では、本発明の一実施形態は、複数の無線アクセス技術をサポートする基地局装置を提供する。この基地局装置は、ＲＥと、無線アクセス技術の第１のグループをサポートする第１のＲＥＣと、無線アクセス技術の第２のグループをサポートする第２のＲＥＣと、を含む。
【００１０】
第１のＲＥＣは、無線アクセス技術の第１のグループに対応する下りリンクデータを、ＲＥに送信するように構成される。
【００１１】
ＲＥは、第１のポートを介して第２のＲＥＣから無線アクセス技術の第１のグループに対応する下りリンクデータを受信し、受信した無線アクセス技術の第１のグループに対応する下りリンクデータからそのＲＥのデータを取得し、無線アクセス技術の第２のグループに対応する上りリンクデータを、無線アクセス技術の第１のグループに対応する下りリンクデータと結合し、結合されたデータを第２のポートを介して送信するように構成される。
【００１２】
第２のＲＥＣは、ＲＥによって第２のポートを介して送信されたデータを受信し、受信したデータから、無線アクセス技術の第２のグループに対応する上りリンクデータを取得するように構成される。
【００１３】
別の態様では、本発明の一実施形態は、複数の無線アクセス技術をサポートする基地局装置を提供する。この基地局装置は、ＲＥと、無線アクセス技術の第１のグループをサポートする第１のＲＥＣと、無線アクセス技術の第２のグループをサポートする第２のＲＥＣと、を含む。
【００１４】
第１のＲＥＣは、無線アクセス技術の第１のグループに対応する下りリンクデータをＲＥに送信し、無線アクセス技術の第１のグループに対応し且つＲＥによって送信された上りリンクデータを受信するように構成される。
【００１５】
第２のＲＥＣは、無線アクセス技術の第２のグループに対応する下りリンクデータをＲＥに送信し、無線アクセス技術の第２のグループに対応し且つＲＥによって送信された上りリンクデータを受信するように構成される。
【００１６】
別の態様では、本発明の一実施形態は、インタフェースモジュールと信号処理モジュールとを含むＲＥを提供する。
【００１７】
インタフェースモジュールは、ＲＥのサービスデータを、無線アクセス技術の第１のグループに対応する下りリンクサービスデータから取得するように構成され、ここで、下りリンクサービスデータは、第１のＲＥＣによって送信され且つＲＥによって第１のポートを介して受信される。
【００１８】
信号処理モジュールは、インタフェースモジュールから無線アクセス技術の第１のグループに対応する下りリンクサービスデータを受信し、第２のＲＥＣによってサポートされる無線アクセス技術の第２のグループに対応する上りリンクサービスデータをインタフェースモジュールに送信するように構成される。
【００１９】
インタフェースモジュールは、無線アクセス技術の第２のグループに対応し且つ信号処理モジュールから受信された上りリンクサービスデータを、無線アクセス技術の第１のグループに対応する下りリンクサービスデータと結合し、次に、結合されたデータを第２のポートを介して第２のＲＥＣに送信する。
【００２０】
別の態様では、本発明の一実施形態は、インタフェースモジュールと信号処理モジュールとを含むＲＥを提供する。
【００２１】
インタフェースモジュールは、第１のポートを介して、ＲＥによって第１のポートを介して受信され、第１のＲＥＣによって送信された下りリンクサービスデータを受信し、ここで、第１のＲＥＣによって送信された下りリンクサービスデータは、無線アクセス技術の第１のグループに対応し、受信した下りリンクサービスデータを信号処理モジュールに送信するように構成され、第２のポートを介して、無線アクセス技術の第２のグループに対応し且つ第２のＲＥＣによって送信された下りリンクサービスデータを受信し、下りリンクサービスデータを信号処理モジュールに送信するように構成される。
【００２２】
信号処理モジュールは、インタフェースモジュールから無線アクセス技術の第１のグループに対応する下りリンクサービスデータを受信し、第１のＲＥＣによってサポートされる無線アクセス技術の第１のグループに対応する上りリンクサービスデータをインタフェースモジュールに送信するように構成され、無線アクセス技術の第２のグループに対応する下りリンクサービスデータをインタフェースモジュールから受信し、第２のＲＥＣに属する無線アクセス技術の第２のグループに対応する上りリンクサービスデータをインタフェースモジュールに送信するように構成される。
【００２３】
インタフェースモジュールは、第１のポートを介して、信号処理モジュールからの無線アクセス技術の第１のグループをサポートする第１のＲＥＣの上りリンクサービスデータを第１のＲＥＣに送信し、第２のポートを介して、信号処理モジュールからの無線アクセス技術の第２のグループをサポートする第２のＲＥＣの上りリンクサービスデータを第２のＲＥＣに送信する。
【００２４】
別の態様では、本発明の一実施形態は、インタフェースモジュールと信号処理モジュールとを含むＲＥＣを提供する。
【００２５】
インタフェースモジュールは、ピアＲＥＣによって送信され、かつ、無線装置（ＲＥ）を通過したサービスデータを受信し、受信したサービスデータから、ＲＥＣによってサポートされる無線アクセス技術に対応する上りリンクサービスデータを取得するように構成され、ここで、伝送の間、サービスデータには、ＲＥＣによってサポートされる無線アクセス技術に対応し且つＲＥによってＲＥＣに送信される上りリンクサービスデータが追加される。
【００２６】
信号処理モジュールは、ＲＥＣによってサポートされる無線アクセス技術に対応する上りリンクサービスデータを受信するように構成される。
【発明の効果】
【００２７】
本発明の実施形態によれば、基地局が複数の無線アクセス技術をサポートする場合、ＲＥは、その２つのポートによってサポートされる無線アクセス技術を判定し、無線アクセス技術に対応するデータを２つのポートを介して送信する。このようにして、基地局が複数の無線アクセス技術をサポートする場合、ＲＥは、サービスデータを正常に送信することが可能である。
【図面の簡単な説明】
【００２８】
【図１】本発明の実施形態による分散基地局内のＣＰＲＩリンクの接続概略図である。
【図２】本発明の実施形態によるマクロ基地局内のＣＰＲＩリンクの接続概略図である。
【図３】本発明の実施形態による双方向リンクモード（ｂｉｄｉｒｅｃｔｉｏｎａｌ  ｌｉｎｋ  ｍｏｄｅ）における基地局の接続概略図である。
【図４】本発明の実施形態によるデュアルスターリンクモード（ｄｕａｌ−ｓｔａｒ  ｌｉｎｋ  ｍｏｄｅ）における基地局の接続概略図である。
【図５】本発明の実施形態によるＲＥがそのポートによってサポートされる無線アクセス技術を判定する方法のフローチャートである。
【図６】本発明の実施形態によるＲＥがそのポートによってサポートされる無線アクセス技術を判定する別の方法のフローチャートである。
【図７】本発明の実施形態によるＲＥがそのポートによってサポートされる無線アクセス技術を判定する別の方法のフローチャートである。
【図８】本発明の実施形態によるＲＥがそのポートによってサポートされる無線アクセス技術を判定する別の方法のフローチャートである。
【図９】本発明の実施形態によるＲＥＣがＣＰＲＩのリンクモードを判断する方法のフローチャートである。
【図１０】本発明の実施形態によるＲＥＣがＣＰＲＩのリンクモードを判断する別の方法のフローチャートである。
【図１１Ａ】本発明の実施形態による双方向リンクモードにおけるサービスデータ伝送の概略図である。
【図１１Ｂ】本発明の実施形態による双方向リンクモードにおけるサービスデータ伝送の概略図である。
【図１２】本発明の実施形態によるデュアルスターリンクモードにおけるサービスデータ伝送の概略図である。
【図１３Ａ】本発明の実施形態による双方向リンクモードにおける制御データ伝送の概略図である。
【図１３Ｂ】本発明の実施形態による双方向リンクモードにおける制御データ伝送の概略図である。
【図１４】本発明の実施形態によるデュアルスターリンクモードにおける制御データ伝送の概略図である。
【図１５】本発明の実施形態によるＲＥの概略構成図である。
【図１６】本発明の実施形態によるＲＥＣの概略構成図である。
【発明を実施するための形態】
【００２９】
本発明の実施形態は、グローバル・システム・フォー・モバイル・コミュニケーションズ（ＧＳＭ（登録商標））、ユニバーサル・モバイル・テレコミュニケーションズ・システム（ＵＭＴＳ）、符号分割多元接続（ＣＤＭＡ）、ワールドワイド・インターオペラビリティ・フォー・マイクロウェーブ・アクセス（ＷＩＭＡＸ）、及びロング・ターム・エボリューション（ＬＴＥ）の任意の組み合わせをサポート可能なマルチモード基地局、例えば、ＧＳＭ（登録商標）及びＵＭＴＳをサポートするマルチモード基地局、ＵＭＴＳ及びＣＤＭＡをサポートするマルチモード基地局、又はＵＭＴＳ及びＬＥＴをサポートするマルチモード基地局などの様々な無線アクセス技術をサポートするマルチモード基地局に適用可能である。本発明の実施形態は、複数の（２つ以上の）無線アクセス技術をサポートする基地局に適用可能である。基地局内の各ＲＥＣは無線アクセス技術のグループをサポートしてもよく、無線アクセス技術の各グループは１つ以上の無線アクセス技術を含んでもよい。
【００３０】
説明の便宜のために、本発明の以下の実施形態では、説明のための例として、２つの無線アクセス技術（すなわち、ＧＳＭ（登録商標）及びＵＭＴＳ）をサポートするマルチモード基地局を使用し、１つのグループは１つの無線アクセス技術（ＧＳＭ（登録商標）又はＵＭＴＳ）のみを含む。しかし、本発明の実施形態は、無線アクセス技術のグループが１つの無線アクセス技術のみを含むシナリオに限定されないということに留意されたい。本発明の実施形態で提供される技術的解決法は、分散基地局のＣＰＲＩリンクに適用可能であり、又は、オープン基地局アーキテクチャイニシアチブ（ＯＢＳＡＩ）リンクに適用可能であり、又は、Ｉｒインタフェースの技術的要求を満たすことが可能である。本発明の実施形態の技術的解決法を説明するために、以下では、ＣＰＲＩリンクが例として使用される。
【００３１】
基地局は、ベースバンドユニット（ＢＢＵ）及び無線周波数（ＲＦ）モジュールという２つの部分に分割されてもよい。ＢＢＵはＲＥＣを含み、ＲＦモジュールはＲＥを含む。本発明の実施形態で提供される技術的解決法は、（図１に示すような）分散基地局に適用されるだけでなく、マクロ基地局（その構成は、図２で示され得る）にも適用されるということに留意されたい。しかし、マクロ基地局は、図２に示す構成に限定されず、構成の形態も使用されてもよく、これは本発明の実施に影響を及ぼさない。本発明の実施形態で提供される技術的解決法は、基地局内でＢＢＵとＲＦモジュールとがＣＰＲＩリンクを介して接続される限り、参照され得る。加えて、本発明の実施形態におけるＢＢＵは、多くのハードウェア構成を有してもよく、複数のスロットボードを使用して形成された構成に限定されない。例えば、ＢＢＵ内の１枚のボードなどのその他の構成も使用されてもよい。この場合、マルチモード基地局は、モジュールを積み重ねる方式での複数のＢＢＵを介して実施される。
【００３２】
ＲＥが、異なる無線アクセス技術をサポートする２つのＲＥＣに接続されることを可能にするために、本発明の実施形態は、双方向リンクモード及びデュアルスターリンクモードという２つのリンクモードを提供する。双方向リンクモードは、ＲＥの直列接続をサポートする。１つのＣＰＲＩリンクは１つ以上のＲＥを有し、この接続モードは図３に示されている。デュアルスターリンクモードでは、１つのＣＰＲＩリンクが１つのＲＥのみを有する。ＲＥは、異なる無線アクセス技術をサポートする２つのＲＥＣに直接接続され、この接続は、図４に示されている。
【００３３】
ＲＥは２つのポートを有するため、この実施形態では、ＲＥは２つのポートによってそれぞれサポートされる無線アクセス技術を判定する必要がある。図５は、ＲＥが２つのポートによってそれぞれサポートされる無線アクセス技術を判定する方法をＣＰＲＩリンクを例として使用して示す。この方法は、以下のステップを含む。
【００３４】
ステップ５０１：ＲＥは、ＲＥＣから送信されたレイヤ１情報を受信し、ここで、Ｌ１情報は、ＲＥＣのスロットＩＤを含む。
【００３５】
ステップ５０２：ＲＥは、ＲＥＣから送信されたＨＤＬＣリンクセットアップメッセージを受信し、ここで、ＨＤＬＣリンクセットアップメッセージは、ＲＥＣのスロットＩＤとＲＥＣによってサポートされる無線アクセス技術に関する指示情報とを運ぶ。
【００３６】
ステップ５０３：ＲＥは、Ｌ１情報を受信したポートがＲＥＣによってサポートされる無線アクセス技術をサポートすることを、Ｌ１情報内及びＨＤＬＣリンクセットアップメッセージ内のＲＥＣのスロットＩＤが同一であることに従って判定する。
【００３７】
ステップ５０４：ＲＥは、ポートを介して、無線アクセス技術に対応するサービスデータを受信及び送信する。
【００３８】
図６を参照して、ＲＥが、ＲＥの２つのポートによってサポートされる無線アクセス技術を判定する方法について、以下に説明する。この方法は、以下のステップを含む。
【００３９】
ステップ６０１：第２のＲＥＣは、レイヤ１情報（すなわち、Ｌ１情報）を、ＣＰＲＩリンクを通じて、第１のＲＥＣ（ＲＥＣ１）に送信する。第１のＲＥＣは、Ｌ１情報を受信する。Ｌ１情報は、第２のＲＥＣのスロットＩＤと、トポロジスキャン数（ホップ数）とを含む。Ｌ１情報は、ポートＩＤも含んでもよい。
【００４０】
具体的には、第１のＲＥＣ及び第２のＲＥＣは、Ｌ１情報を、ＣＰＲＩリンクを通じて周期的に送信してもよい。第１のＲＥＣはＧＭＳをサポートし、第２のＲＥＣはＵＭＴＳをサポートすると仮定する。この実施形態におけるＬ１情報は、スロットＩＤと、ホップ数と、ポートＩＤとを含む。双方向リンクモードでは、図３に示すように、第１のＲＥＣは、そのスロットＩＤ＝６、ポートＩＤ＝ｍ、及びホップ数＝０を、ＣＰＲＩリンクを通じて送信し、ＣＰＲＩリンク上の各ＲＥは、ホップ数に１を加算した後、ホップ数を送信する。ＣＰＲＩリンク上に３つのＲＥが存在すると仮定すると、第２のＲＥＣは、ホップ数＝３を受信する。このようにして、ＣＰＲＩリンク上に３つのＲＥが存在することが認識されることが可能である。同様に、第２のＲＥＣは、そのスロットＩＤ＝３、ポートＩＤ＝ｎ、及びホップ数＝０を、ＣＰＲＩリンクを通じて送信し、ＣＰＲＩリンク上の各ＲＥは、ホップ数に１を加算した後、ホップ数を送信し、第１のＲＥＣは、ホップ数＝３を受信する。このようにして、ＣＰＲＩリンク上に３つのＲＥが存在することが認識されることが可能である。ＲＥは、ＧＳＭ（登録商標）及びＵＭＴＳについてのホップ数を記録してもよい。例えば、第１のＲＥは、ＧＳＭ（登録商標）についてのホップ数＝０、及びＵＭＴＳについてのホップ数＝２を記録する。
【００４１】
デュアルスターリンクモードでは、図４に示すように、第１のＲＥＣは、そのスロットＩＤ＝６、ポートＩＤ＝ｍ、及びホップ数＝０を、ＣＰＲＩリンクを通じて送信する。１つのみのＲＥが、ＣＰＲＩリンク上に存在する。ＲＥは、ホップ数に１を加算した後、ホップ数を送信する。このようにして、第２のＲＥＣは、ホップ数＝１を受信する。同様に、第１のＲＥＣは、第２のＲＥＣのポートＩＤ、スロットＩＤ、及びホップ数を受信し、ここで、ホップ数＝１である。ＲＥは、ＧＳＭ（登録商標）についてのホップ数を記録してもよく、そして、ＵＭＴＳについてのホップ数を記録してもよい。例えば、第１のＲＥは、ＧＳＭ（登録商標）モードについてのホップ数＝０、及びＵＭＴＳについてのホップ数＝０を記録する。
【００４２】
ステップ６０２：第１のＲＥＣは、例えば、高レベルソフトウェアモジュールを使用することによって、ＣＰＲＩリンクのリンクモードを判断する。ＣＰＲＩリンクが単方向リンクモード（ｕｎｉｄｉｒｅｃｔｉｏｎａｌ  ｌｉｎｋ  ｍｏｄｅ）にある場合、単方向リンクモードのための関連する処理が現在の解決法におけるプロセスに従って実行され、これについてはここでは詳細に説明しない。ＣＰＲＩリンクが双方向リンクモード又はデュアルスターリンクモードにある場合、ステップ６０３が実行される。
【００４３】
ＲＥＣは、ソフトウェアモジュールを含み、ソフトウェアモジュールは、低レベルソフトウェアモジュールと高レベルソフトウェアモジュールとを更に含む。
【００４４】
ステップ６０２における、第１のＲＥＣの高レベルソフトウェアモジュールがＣＰＲＩリンクモードを判断する方法については、図９及び対応する実施形態が参照されてもよい。
【００４５】
ステップ６０３：第１のＲＥＣのインタフェースモジュールは、Ｌ１情報を、ＲＥに送信する。Ｌ１情報は、リンクモード指示情報と、第１のＲＥＣのスロットＩＤ及びホップ数とを含む。更に、Ｌ１情報は、第１のＲＥＣのポートＩＤを含んでもよい。
【００４６】
この実施形態及び以下の実施形態におけるインタフェースモジュールは、フィールドプログラマブルゲートアレイ（ＦＰＧＡ）であってもよいが、ＦＰＧＡに限定されない。その他のインタフェースモジュール（例えば、特定用途向け集積回路（ＡＳＩＣ））が使用されてもよい。
【００４７】
このステップにおけるＬ１情報内のリンクモード指示情報は、リンクモードが双方向リンクモード、デュアルスターリンクモード、又は単方向リンクモードであることを示すために使用される。
【００４８】
このステップにおけるＬ１情報は、表１で示され得る。
【表１】
0005341249.tif 000002
【００４９】
ビット３〜ビット１＝ｂ’０００である場合（ここで、ｂ’は、２進ビットを示す）、これは、単方向リンクモードが使用されることを示す。このリンクモードでは、従来技術と同じ処理が使用されてもよく、これについてはここでは繰り返して説明しない。
【００５０】
ビット３〜ビット１＝ｂ’００１である場合、これは、双方向リンクモードが使用されることを示す。このリンクモードでは、任意のＲＥについて、ＲＥの２つのポートの属性の設定は、ＲＥのデータの受信及び送信に影響を及ぼさない。２つのポートの属性は、マスタ又はスレーブであってもよい。双方向リンク上の２つのＲＥＣからピアＲＥＣまでのホップスキャンが実施される。
【００５１】
ビット３〜ビット１＝ｂ’０１０である場合、これは、デュアルスターリンクモードが使用されることを示す。このリンクモードでは、ＲＥの２つのポートの属性の設定は、ＲＥのデータの受信及び送信に影響を及ぼさない。２つのポートの属性は、マスタ又はスレーブであってもよい。デュアルスターリンク上の２つのＲＥＣからピアＲＥＣまでのホップスキャンが実施される。
【００５２】
このステップにおいて、前述のビット３〜ビット１の特定の値は、対応するリンクモードが例示のために使用されているにすぎないということを示すことを当業者は理解されたい。本発明は、前述の値によって示されるリンクモードに限定されない。
【００５３】
ステップ６０４：ＲＥは、Ｌ１情報を第１のポートを介して受信し、リンクモードをＬ１情報内のリンクモード指示情報に従って判定する。例えば、ＲＥのインタフェースモジュールは、リンクモードをリンクモード指示情報に従って判定する。
【００５４】
ＲＥは、インタフェースモジュールを含む。ポート（例えば、第１のポート）がＬ１情報を受信した後、インタフェースモジュールは、リンクモードをＬ１情報内のリンクモード指示情報に従って判定してもよい。加えて、ＲＥは、ソフトウェアモジュールを更に含んでもよく、ここで、ソフトウエアモジュールは、低レベルソフトウェアモジュールと高レベルソフトウェアモジュールとを更に含む。
【００５５】
このステップにおいて、インタフェースモジュールは、リンクモードを判定し、これにより、様々なリンクモードに従って、関連する設定が完了した後、様々なモードがサービスデータ又は制御データを送信するために使用される。例えば、双方向リンクモード又はデュアルスターリンクモードにおいては、ＲＥのポートとキャリアＡｘＣとサービスデータとの間のマッピング関係が設定される必要があり、次に、サービスデータがＲＥのポートを介して送信される。単方向リンクモードにおいては、現在の解決法におけるプロセスに従って、単方向リンクモードのための関連する処理が実行され、これについてはここでは詳述しない。
【００５６】
ステップ６０５：ＲＥは、第１のＲＥＣによって送信されたＨＤＬＣリンクセットアップメッセージを受信し、例えば、ＲＥのソフトウェアモジュール内のＨＤＬＣモジュールは、第１のＲＥＣによって送信されたＨＤＬＣリンクセットアップメッセージを受信する。ＨＤＬＣリンクセットアップメッセージは、第１のＲＥＣのスロットＩＤと、無線アクセス技術の第１のグループに関する指示情報と、ＲＥによってサポートされる無線アクセス技術の第１のグループに対応するホップ数と、第１のＲＥＣによってＲＥに割り当てられるＨＤＬＣアドレスとを含む。ＲＥのソフトウェアモジュール内のＨＤＬＣモジュールは、受信した無線アクセス技術の第１のグループに対応するホップ数に従って、第１のＲＥＣによってＲＥに割り当てられるＨＤＬＣアドレスを取得し、保存する。
【００５７】
ＨＤＬＣリンクセットアップメッセージは、第１のＲＥＣのポートＩＤを更に含んでもよい。無線アクセス技術の第１のグループは、第１のＲＥＣによってサポートされる無線アクセス技術である。
【００５８】
第１のＲＥＣによって送信されるＤＨＬＣリンクセットアップメッセージは、各ＲＥによってサポートされる無線アクセス技術の第１のグループに対応するホップ数と、リンク上の各ＲＥに対応するＨＤＬＣアドレスとを運んでもよく、又は、第１のＲＥＣは、複数のＤＨＬＣリンクセットアップメッセージを送信し、ここで、各メッセージは、第１のＲＥＣのスロットＩＤと、無線アクセス技術の第１のグループに関する指示情報と、ＲＥによってサポートされる無線アクセス技術の第１のグループに対応するホップ数と、ＲＥのＨＤＬＣアドレスとを含む。
【００５９】
具体的には、ＨＤＬＣリンクセットアップメッセージは、ＨＤＬＣフレームであり、その内容は表２に記載されている。
【表２】
0005341249.tif 000003
【００６０】
ステップ６０６：ＲＥがＨＤＬＣリンクをセットアップした後、ＲＥの高レベルソフトウェアモジュールは、インタフェースモジュールから、Ｌ１情報内のリンクモード指示情報及び第１のＲＥＣのスロットＩＤを、低レベルソフトウェアモジュールを介して読み取り、Ｌ１情報内の第１のポートに関する指示情報を受信する。本発明のこの実施形態、及び以下の実施形態では、第１のポートに関する指示情報は、第１のポートのポートＩＤであってもよく、第１のポートを識別するために使用される。
【００６１】
ステップ６０７：ＲＥの高レベルソフトウェアモジュールは、ＣＰＲＩリンクモードをリンクモード指示情報に従って判断する。ＣＰＲＩリンクが単方向リンクモードにある場合、単方向リンクモードのための関連する処理が現在のプロセスに従って実行され、ＣＰＲＩリンクが双方向リンクモード又はデュアルスターリンクモードにある場合、ステップ６０８が実行される。ステップ６０７において、リンクモードが双方向リンクモード又はデュアルスターリンクモードであることが判断される。
【００６２】
ステップ６０８：ＲＥの高レベルソフトウェアは、ＨＤＬＣモジュールを介して、ＨＤＬＣリンクセットアップメッセージから、第１のＲＥＣのスロットＩＤと無線アクセス技術の第１のグループに関する指示情報とを読み取り、第１のＲＥＣのスロットＩＤに従って、Ｌ１情報を受信したＲＥのポート（第１のポート）が無線アクセス技術の第１のグループをサポートすることを判定する。表３を参照すると、このステップにおいて、Ｌ１情報を受信したＲＥのポート（第１のポート）が無線アクセス技術の第１のグループをサポートすることを判定する方法では、Ｌ１情報内のＲＥＣのスロットＩＤがＬ２リンクセットアップメッセージ（ここでは、ＨＤＬＣリンクセットアップメッセージと呼ばれる）内のＲＥＣのスロットＩＤと同じである場合、Ｌ１情報を受信したＲＥのポート（第１のポート）がＨＤＬＣリンクセットアップメッセージ内の無線アクセス技術の第１のグループをサポートすることが判定される。
【表３】
0005341249.tif 000004
【００６３】
ステップ６０９：ＲＥのソフトウェアモジュールは、ＲＥの第１のポートによってサポートされる無線アクセス技術を、インタフェースモジュールに対して設定する。例えば、インタフェースモジュールは、ＦＰＧＡであってもよく、この場合、ＲＥのソフトウェアモジュールは、ＲＥの第１のポートによってサポートされる無線アクセス技術をＦＰＧＡに対して設定する。
【００６４】
ステップ６１０：第１のＲＥＣは、高レベルメッセージを介して、ＲＥに、無線アクセス技術のグループのキャリアによって占められるサービスエリア情報又は無線アクセス技術のグループをサポートするキャリアに関するＡｘＣ（アンテナ−キャリア）情報を送信する。
【００６５】
第１のＲＥＣは、無線アクセス技術のグループに対応するデータを、サービスエリアによって又はＡｘＣを使用することによって送信して、無線アクセス技術のグループに対応するデータをサービスエリア内で運んでもよい。
【００６６】
ステップ６１１：ＲＥのソフトウェアモジュール（例えば、ＦＰＧＡ）は、インタフェースモジュールに対して、サービスエリア情報とＲＥの第１のポートのポートＩＤとの間のマッピング関係を、又は、ＡｘＣ情報とＲＥの第１のポートのポートＩＤとの間のマッピング関係を設定する。すなわち、ＲＥのソフトウェアモジュールは、ＲＥが、第１のポートを介して、第１のＲＥＣによってサポートされる無線アクセス技術に対応するサービスデータを受信及び送信することを指定する。
【００６７】
ステップ６１２：ＲＥは、第１のポートを介して、第１のＲＥＣによってサポートされる無線アクセス技術のグループに対応するサービスデータを受信及び送信する。
【００６８】
前述の実施形態で提供された方法に従って、第２のＲＥＣによってサポートされる無線アクセス技術の第２のグループに対応するサービスデータが、ＲＥの第２のポートを介して、ＲＥによって受信及び送信されることが、更に判定されてもよい。
【００６９】
必要に応じて、本発明の一実施形態は、ＲＥが、その２つのポートによってサポートされる無線アクセス技術を判定する別の方法を提供する。この方法は、ＲＥがＬ１情報に従ってポートによってサポートされる無線アクセス技術を判定することが可能であるという点で、前述の方法と異なる。この方法は、以下のステップを含む。
【００７０】
ステップ７０１：ＲＥは、ＲＥＣによって送信されたＬ１情報を受信し、ここで、Ｌ１情報は、ＲＥＣのスロットＩＤと、ＲＥＣによってサポートされる無線アクセス技術に関する指示情報とを含む。
【００７１】
ステップ７０２：Ｌ１情報を受信したポートがＲＥＣによってサポートされる無線アクセス技術をサポートすることが判定される。
【００７２】
ステップ７０３：ＲＥは、ポートを介して、無線アクセス技術に対応するサービスデータを受信及び送信する。
【００７３】
図８を参照して、ＲＥがその２つのポートによってそれぞれサポートされる無線アクセス技術を判定する別の方法について、以下に説明する。この方法は、以下のステップを含む。
【００７４】
ステップ８０１：第２のＲＥＣは、レイヤ１情報（すなわち、Ｌ１情報）を、ＣＰＲＩリンクを通じて、第１のＲＥＣに送信する。第１のＲＥＣは、Ｌ１情報を受信する。Ｌ１情報は、第２のＲＥＣのスロットＩＤ及びホップ数を含む。Ｌ１情報は、ポートＩＤも含んでもよい。
【００７５】
ステップ８０２：第１のＲＥＣの高レベルソフトウェアモジュールは、ＣＰＲＩリンクのリンクモードを判断する。ＣＰＲＩリンクが単方向リンクモードにある場合、単方向リンクモードのための関連する処理が現在のプロセスに従って実行され、ＣＰＲＩリンクが双方向リンクモード又はデュアルスターリンクモードにある場合、ステップ８０３が実行される。
【００７６】
ＲＥＣは、ソフトウェアモジュールを含み、ソフトウェアモジュールは、低レベルソフトウェアモジュールと高レベルソフトウェアモジュールとを更に含む。
【００７７】
このステップにおける、第１のＲＥＣの高レベルソフトウェアモジュールがＣＰＲＩリンクモードを判定する方法については、図９及び図１０が参照されてもよい。
【００７８】
ステップ８０３：第１のＲＥＣのインタフェースモジュールは、Ｌ１情報をＲＥに送信する。Ｌ１情報は、リンクモード指示情報、第１のＲＥＣのスロットＩＤ、第１のＲＥＣのホップ数、及び無線アクセス技術の第１のグループに関する指示情報を含む。更に、Ｌ１情報は、第１のＲＥＣのポートＩＤを含んでもよい。Ｌ１情報の内容を表４に詳述する。
【表４】
0005341249.tif 000005
【００７９】
ステップ８０４〜８０５は、基本的に、ステップ６０４〜６０５と同じである。
【００８０】
ステップ８０６：ＲＥがＨＤＬＣリンクをセットアップした後、ＲＥの高レベルソフトウェアモジュールは、低レベルソフトウェアモジュールを介して、インタフェースモジュールから、Ｌ１情報内に含まれるリンクモード指示情報と、第１のＲＥＣのスロットＩＤと、無線アクセス技術の第１のグループに関する指示情報と、Ｌ１情報を受信した第１のポートのポート番号とを読み取る。
【００８１】
ＲＥは、インタフェースモジュールとソフトウェアモジュールとを含み、ソフトウェアモジュールは、低レベルソフトウェアモジュールと高レベルソフトウェアモジュールとを更に含む。
【００８２】
ステップ８０７：ＲＥの高レベルソフトウェアモジュールは、ＣＰＲＩリンクのリンクモードを、リンクモード指示情報に従って判断する。ＣＰＲＩリンクが単方向リンクモードにある場合、単方向リンクモードのための関連する処理が現在のプロセスに従って実行され、ＣＰＲＩリンクが双方向リンクモード又はデュアルスターリンクモードにある場合、ステップ８０８が実行される。ステップ８０７において、リンクモードが双方向リンクモード又はデュアルスターリンクモードであることが判断される。
【００８３】
ステップ８０８：ＲＥの高レベルソフトウェアモジュールは、Ｌ１情報を受信した第１のポートが、第１のＲＥＣによってサポートされる無線アクセス技術の第１のグループをサポートすることを判定する。
【００８４】
ステップ８０９〜８１２は、基本的に、ステップ７０９〜７１２と同じである。
【００８５】
ＲＥは、受信したＲＥＣのスロットＩＤ（又は、スロットＩＤ及びポートＩＤ）を２つのポート間で転送する、すなわち、ＲＥＣのスロットＩＤ（又は、スロットＩＤ及びポートＩＤ）を一方のポートから受信した後、他方のポートから送出するということに留意されたい。処理は、リンク内の各ＲＥについて同じである。ＣＰＲＩリンクでは、リンクの一方の端におけるＲＥＣのスロットＩＤ（又は、スロットＩＤ及びポートＩＤ）がリングの他方の端におけるＲＥＣに送信され、一方の端におけるＲＥＣは、他方の端におけるＲＥＣのスロットＩＤ（又は、スロットＩＤ及びポートＩＤ）を受信する。ＣＰＲＩリンクが切断された場合、リンク上の最後のＲＥは、受信したスロットＩＤ（又は、スロットＩＤ及びポートＩＤ）を返す。このようにして、ＲＥＣは、そのＲＥＣ自体によって送信されたスロットＩＤ（又は、スロットＩＤ及びポートＩＤ）を受信して、リンクが切断されたことを認識してもよい。
【００８６】
前述の実施形態で提供された方法に従って、第２のＲＥＣによってサポートされる無線アクセス技術の第２のグループに対応するサービスデータがＲＥの第２のポートを介して受信及び送信されることが、更に判定されてもよい。
【００８７】
図９を参照して、ＲＥＣの高レベルソフトウェアモジュールがＣＰＲＩリンクモードを判断する方法について、以下に説明する。
【００８８】
ステップ９０１：ＲＥＣの高レベルソフトウェアモジュールは、ＣＰＲＩリンクから受信したスロットＩＤ及びホップ数を取得する。
【００８９】
ステップ９０２：高レベルソフトウェアモジュールは、受信したスロットＩＤに従って、ピアＲＥＣが無線アクセス技術の同じグループをサポートするかどうかを判断する。ピアＲＥＣが無線アクセス技術の同じグループをサポートしない場合、ＣＰＲＩリンクは双方向リンクモード又はデュアルスターリンクモードにあるとみなされて、ステップ９０３が実行され、それ以外の場合、ＣＰＲＩリンクは単方向リンクモードにあり、プロセスは終了する。
【００９０】
ステップ９０３：高レベルソフトウェアモジュールは、ホップ数に従って、ＣＰＲＩリンク上のＲＥの数を判断する。ＣＰＲＩリンクが１つのみのＲＥを有する場合、ＣＰＲＩリンクはデュアルスターリンクモードにあり、ＣＰＲＩリンクが複数のＲＥを有する場合、ＣＰＲＩリンクは双方向リンクモードにある。
【００９１】
図１０を参照して、ＲＥＣの高レベルソフトウェアモジュールがＣＰＲＩリンクモードを判断する別の方法について、以下に説明する。
【００９２】
ステップ１００１：ＲＥＣの高レベルソフトウェアモジュールは、ＣＰＲＩリンクから受信した無線アクセス技術指示情報及びホップ数を取得する。
【００９３】
本発明のこの実施形態で提供されるＣＰＲＩリンクモードでは、ＲＥＣは、ピアＲＥＣによってサポートされる無線アクセス技術に関する指示情報を受信する。
【００９４】
ステップ１００２：高レベルソフトウェアモジュールは、ＣＰＲＩリンクから受信した指示情報内で示される無線アクセス技術がＲＥＣによってサポートされるかどうかを判断する。無線アクセス技術がＲＥＣによってサポートされない場合、ＣＰＲＩリンクは双方向リンクモード又はデュアルスターリンクモードにあり、ステップ１００３が実行され、それ以外の場合、ＣＰＲＩリンクは単方向モードにあり、プロセスは終了する。
【００９５】
ステップ１００３：高レベルソフトウェアモジュールは、ＣＰＲＩリンク上のＲＥの数をホップ数に従って判断する。ＣＰＲＩリンクが１つのみのＲＥを有する場合、ＣＰＲＩリンクはデュアルスターリンクモードにあり、ＣＰＲＩリンクが複数のＲＥを有する場合、ＣＰＲＩリンクは双方向リンクモードにある。
【００９６】
図９及び図１０に示す双方向リンクモードは、ＣＰＲＩリンクが１つのみのＲＥを有するシナリオにも適用可能であるということに留意されたい。このケースでは、ＣＰＲＩリンク上に１つのみのＲＥが存在する場合、双方向リンクモードが使用されるべきか、デュアルスターリンクモードが使用されるべきかを、２つのＲＥＣが予め設定することが要求されるのみである。ＣＰＲＩリンク上に１つのみのＲＥが存在する場合、デュアルスターリンクモードが一般に使用される。
【００９７】
ＣＰＲＩリンク上の一時的切断の頻繁な発生を考慮して、ＲＥＣがリンクのモードを切り換えるための一定の遅延が必要とされてもよく、そして、遅延は例えば３分に予め設定されてもよく、すなわち、ＣＰＲＩリンクモードが１つのモードから別のモードに変更され、このモードに３分間留まった場合、ＣＰＲＩリンクは更に別のモードに切り換わる。
【００９８】
あるいは、マルチモード基地局が設定される際に、リンクモード（単方向リンクモード、双方向リンクモード、又はデュアルスターリンクモード）がＣＰＲＩリンクについて設定される。ＲＥＣの高レベルソフトウェアモジュールは、上述の方法を使用して実際のＣＰＲＩリンクモードを検出し、検出結果を設定されたリンクモードと比較する。検出結果が設定されたリンクモードと一致しない場合、リンクモードが異常であることを示すアラームが、不一致を通知するために報告される。
【００９９】
図１１を参照して、双方向リンクモードにおけるサービスデータ伝送のプロセスについて、以下に説明する。
【０１００】
ＲＥは、無線アクセス技術のグループに対応するサービスデータを、ＲＥの２つのポートから受信し、受信したデータを、対応する信号処理モジュールにそれぞれ送信する。本発明のこの実施形態における信号処理モジュールは、デジタル信号プロセッサ（ＤＳＰ）、特定用途向け集積回路（ＡＳＩＣ）、又はその他のタイプの信号処理装置であってもよく、これは本発明の実施に影響を及ぼさない。高レベルソフトウェアモジュールは、インタフェースモジュールに対して、ＡｘＣ又はサービスエリアに関する情報を設定し、ここで、ＡｘＣ又はサービスエリアは、ＲＥによってサポートされるＲＡＴの各グループに対応するキャリアによって占められる。従って、インタフェースモジュールは、無線アクセス技術の様々なグループに対応するサービスデータを区別してもよい。
【０１０１】
サービスデータ伝送の間、インタフェースモジュールは、送信される必要があるサービスデータが属する無線アクセス技術のグループに従って、送信される必要があるサービスデータを、無線アクセス技術の対応するグループをサポートするＲＥのポートに送信する。
【０１０２】
この実施形態において、第１のＲＥＣ（第１のＲＥＣは、ＧＭＳを含む無線アクセス技術の第１のグループをサポートすると仮定する）は、下りリンクサービスデータをＲＥに送信する。ＣＰＲＩリンク上の任意のＲＥのインタフェースモジュールは、ＡｘＣ情報又はサービスエリア情報に従って、無線アクセス技術の第１のグループをサポートするポート（第１のポート）によって受信された第１のＲＥＣの下りリンクサービスデータからＲＥのサービスデータを取得し、取得したサービスデータを、無線アクセス技術の第１のグループに対応するＲＥの信号処理モジュールに送信する。インタフェースモジュールは、第２のＲＥＣ（第２のＲＥＣは、ＵＭＴＳモードを含む無線アクセス技術の第２のグループをサポートすると仮定する）に送信される必要がある上りリンクサービスデータを、無線アクセス技術の第２のグループに対応するＲＥの信号処理モジュールから取得し、取得した上りリンクサービスデータを第１のＲＥＣの下りリンクサービスデータと結合し、結合されたサービスデータを次のＲＥに送信する。ＲＥの隣のノードが第２のＲＥＣである場合、結合されたサービスデータは第２のＲＥＣに直接送信される。
【０１０３】
具体的には、ＣＰＲＩリンクの１つの方向において、ローカルＲＥＣ（これは、第１のＲＥＣであると仮定する）は、最初に、無線アクセス技術のグループに対応する下りリンクサービスデータを運び、次に、リンク上の各ＲＥは、そのＲＥの下りリンクサービスデータを取得し、無線アクセス技術の別のグループに対応する上りリンクサービスデータを、無線アクセス技術のグループに対応する下りリンクサービスデータに追加する。最終的に、ＣＰＲＩリンク上で運ばれ、リンクの他方の端におけるＲＥＣ（第２のＲＥＣ）に送信される情報は、第２のＲＥＣによってサポートされる無線アクセス技術に対応する上りリンクサービスデータと、第１のＲＥＣによってサポートされる無線アクセス技術に対応する下りリンクサービスデータとを含んでもよい。第２のＲＥＣは、第２のＲＥＣによってサポートされる無線アクセス技術に対応する上りリンクサービスデータを取得し、ピアＲＥＣによってサポートされる無線アクセス技術に対応する下りリンクサービスデータを廃棄する。
【０１０４】
無線アクセス技術の第１のグループに対応する信号処理モジュールと、無線アクセス技術の第２のグループに対応する信号処理モジュールとは、１つの信号処理モジュールに統合化されてもよく、これは本発明の実施に影響を及ぼさない。
【０１０５】
ＲＥＣが、ＲＥＣ自体によってサポートされる無線アクセス技術に対応する上りリンクサービスデータを取得する方法は、ＲＥＣのインタフェースモジュールがサービスデータを予め設定されたＡｘＣ又はサービスエリア情報に従って取得することであってもよい。
【０１０６】
本発明のこの実施形態に従って、双方向リンクモードでサービスデータを送信するためのサービス帯域幅に関する解析が行われ、フローイング式（ｆｌｏｗｉｎｇ  ｅｑｕａｔｉｏｎｓ）から、双方向リンクモードの状況における１つの方向での１つのＲＥＣに対応する下りリンクサービスデータと、別のＲＥＣに対応する上りリンクサービスデータとは、ＣＰＲＩリンク上のサービス帯域幅を共有するということがわかる。
【０１０７】
第１のＲＥＣによってサポートされる無線アクセス技術の第１のグループはＧＳＭ（登録商標）モードのみを含み、第２のＲＥＣによってサポートされる無線アクセス技術の第２のグループはＵＭＴＳモードのみを含むと仮定する。
【０１０８】
ＧＳＭ（登録商標）からＵＭＴＳへのサービスによって占められる帯域幅＝ＧＳＭ（登録商標）下りリンクサービスデータによって占められる帯域幅＋ＵＭＴＳ上りリンクサービスデータによって占められる帯域幅。
【０１０９】
ＵＭＴＳからＧＳＭ（登録商標）へのサービスによって占められる帯域幅＝ＵＭＴＳ下りリンクサービスデータによって占められる帯域幅＋ＧＳＭ（登録商標）上りリンクサービスデータによって占められる帯域幅。
【０１１０】
双方向リンクモードにおいて、２つのＲＥＣによってそれぞれサポートされる無線アクセス技術の２つのグループにおいて消費される帯域幅は増加せず、無線アクセス技術の２つのグループに対応するサービスデータはＣＰＲＩリンク上のサービス帯域幅を共有するということがわかる。
【０１１１】
図１２を参照して、デュアルスターリンクモードにおけるサービスデータの伝送プロセスについて、以下に説明する。
【０１１２】
ＲＥは、無線アクセス技術のグループに対応するサービスデータをその１つのポートから受信し、受信したサービスデータを無線アクセス技術のグループに対応する信号処理モジュールに送信し、無線アクセス技術の別のグループに対応するサービスデータを別のポートから受信し、データを無線アクセス技術の別のグループに対応する別の信号処理モジュールに送信する。高レベルソフトウェアモジュールは、ＡｘＣ又はサービスエリア情報をインタフェースモジュールに対して設定し、ここで、ＡｘＣ又はサービスエリアは、ＲＥによってサポートされる無線アクセス技術の各グループに対応するキャリアによって占められる。従って、インタフェースモジュールは、無線アクセス技術の様々なグループに対応するサービスデータを区別してもよい。
【０１１３】
サービスデータ伝送の間、インタフェースモジュールは、送信される必要があるサービスデータが属する無線アクセス技術のグループに従って、送信される必要があるサービスデータを、無線アクセス技術の対応するグループをサポートするＲＥのポートに送信する。
【０１１４】
第１のＲＥＣ（第１のＲＥＣは、ＧＭＳモードを含む無線アクセス技術の第１のグループをサポートすると仮定する）は、下りリンクサービスデータをＲＥに送信する。ＲＥのインタフェースモジュールは、下りリンクサービスデータを、無線アクセス技術の第１のグループをサポートするポート（第１のポートと仮定する）から受信し、受信した下りリンクサービスデータを、無線アクセス技術の第１のグループに対応する信号処理モジュールに送信する。ＲＥは、上りリンクサービスデータを、無線アクセス技術の第１のグループに対応する信号処理モジュールから取得し、取得した上りリンクサービスデータを、第１のポートを介して、第１のＲＥＣに送信する。同様に、第２のＲＥＣ（第２のＲＥＣは、ＵＭＴＳモードを含む無線アクセス技術の第２のグループをサポートすると仮定する）は、下りリンクサービスデータをＲＥに送信する。ＲＥのインタフェースモジュールは、下りリンクサービスデータを、無線アクセス技術の第２のグループをサポートするポート（第２のポート）から受信し、受信した下りリンクサービスデータを、無線アクセス技術の第２のグループに対応する信号処理モジュールに送信する。ＲＥは、上りリンクサービスデータを信号処理モジュールから取得し、取得した上りリンクサービスデータを第２のポートを介して第２のＲＥＣに送信する。
【０１１５】
無線アクセス技術の第１のグループに対応する信号処理モジュールと、無線アクセス技術の第２のグループに対応する信号処理モジュールとは、１つの信号処理モジュールに統合化されてもよく、これは本発明の実施に影響を及ぼさない。
【０１１６】
前述の説明から、ＲＥの連結はデュアルスターリンクモードではサポートされず、ＲＥＣからＲＥへのサービスデータの送信はＲＥにおいて終了し、従って、データはＲＥによって別のポートから転送される必要はないということがわかる。ＲＥからＲＥＣに送信されるサービスデータは、区別され、無線アクセス技術の対応するグループをサポートするポートを介して送信される必要がある。無線アクセス技術のグループに対応するサービスデータは、無線アクセス技術のそのグループをサポートするポートを介してのみ送信されることが可能である。図１２から、このようにして、無線アクセス技術のグループに対応するサービスデータが、１つのＣＰＲＩリンク上のサービス帯域幅を排他的に占有してもよいということがわかる。
【０１１７】
図１３を参照して、双方向リンクモードにおける制御データ伝送のプロセスについて、以下に説明する。
【０１１８】
ＲＥが制御データを受信する場合、ＲＥのインタフェースモジュールは、最初に、ＲＥの２つのポートから受信された制御データをバッファリングし、次に、２つのポートによって受信された制御データをキューイングする。制御データはＨＤＬＣアドレスを運ぶため、２つのＨＤＬＣソフトウェアモジュールがＲＥ内に設定されてもよく、一方のＨＤＬＣソフトウェアモジュールは第１のＲＥＣに対応し、他方のＨＤＬＣソフトウェアモジュールは第２のＲＥＣに対応する。２つのＨＤＬＣソフトウェアモジュールは、それらのそれぞれのＨＤＬＣアドレス（例えば、ステップ６０５で説明した無線アクセス技術に対応し、ＲＥによって記録されたＨＤＬＣアドレス）に従って、それらの制御データをキューから取得し、取得した制御データを高レベルソフトウェアモジュールに転送する。
【０１１９】
ＲＥが制御データを送信する場合、インタフェースモジュールは、２つのＨＤＬＣソフトウェアモジュールからの制御データ（制御データは、第１のＲＥＣ及び第２のＲＥＣによって、ＲＥにそれぞれ割り当てられたＨＤＬＣアドレスを運ぶ）を結合し、結合された制御データを複製し、複製された制御データを第１のポート及び第２のポートを介してそれぞれ送信する。
【０１２０】
具体的には、ＲＥが制御データを受信する場合、ＲＥは、制御データを、第１及び第２のポートを介して受信し、受信された制御データをキューイングする。ＲＥの２つのＨＤＬＣソフトウェアモジュールは、キュー内の制御データ内のＨＤＬＣアドレスに従って、それらの制御データをキューから取得し、取得された制御データを高レベルソフトウェアモジュールに転送する。
【０１２１】
ＲＥが制御データを送信する場合、インタフェースモジュールは、２つのＨＤＬＣソフトウェアモジュールからの制御データ（第１のＲＥＣに送信される必要がある上りリンク制御データ、及び第２のＲＥＣに送信される必要がある上りリンク制御データ）を結合し、結合された制御データを複製し、次に、一方の複製を、第１のポートを介して受信された制御データと結合し、結合されたデータを第２のポートを介して送信し、他方の複製を、第２のポートから受信された制御データと結合し、結合されたデータを第１のポートを介して送信する。第１のＲＥＣに送信される上りリンク制御データは、第１のＲＥＣによって割り当てられたＨＤＬＣアドレスを運び、第２のＲＥＣに送信される制御データは、第２のＲＥＣによって割り当てられたＨＤＬＣアドレスを運ぶ。
【０１２２】
ＲＥＣが制御データを受信した後、ＲＥＣのＨＤＬＣソフトウェアモジュールは、制御データ内のＨＤＬＣアドレスに従って、その制御データを受信した制御データから取得し、データを高レベルソフトウェアモジュールに転送する。
【０１２３】
このようにして、ＨＤＬＣ上りリンク及び下りリンクデータは、制御プレーンの帯域幅（例えば、３．８４Ｍビット／秒の帯域幅）を共有する。
【０１２４】
あるいは、ＲＥが制御データを送信する場合、インタフェースモジュールは、第１のＨＤＬＣソフトウェアモジュールからの制御データを第２のＨＤＬＣソフトウェアモジュールからの制御データと区別し、第１のＲＥＣの制御データ（第１のＨＤＬＣソフトウェアモジュールからの制御データ）を第２のポートから受信された制御データ（第２のＨＤＬＣソフトウェアモジュールからの制御データ）と結合し、次に、結合されたデータを第１のポートから送信し、そして、第２のＲＥＣの制御データを第１のポートから受信した制御データと結合し、結合されたデータを第２のポートから送信する。
【０１２５】
図１４を参照して、デュアルスターリンクモードにおける制御データ伝送のプロセスについて、以下に説明する。
【０１２６】
デュアルスターリンクモードでは、ＲＥは、下りリンク制御データを転送する必要はない。ＲＥが制御データを受信する場合、インタフェースモジュールは、２つのポートから受信した制御データをバッファリングし、受信した制御データをキューイングする。ＲＥの２つのＨＤＬＣソフトウェアモジュールは、それらのＨＤＬＣアドレス（例えば、ステップ６０５における無線アクセス技術に対応し且つＲＥによって記録されたＨＤＬＣアドレス）に従って、それらのそれぞれの制御データをキューから取得し、制御データを高レベルソフトウェアに転送する。
【０１２７】
ＲＥが制御データを送信する場合、インタフェースモジュールは、２つのＨＤＬＣソフトウェアモジュールからの制御データ（制御データは、ＲＥＣによって割り当てられたＨＤＬＣアドレスを運ぶ）を複製し、制御データの複製を２つのポートからそれぞれ送信する。
【０１２８】
具体的には、ＲＥが制御データを受信する場合、ＲＥは、制御データを、第１及び第２のポートを介して受信し、受信した制御データをキューイングし、ＲＥの２つのＨＤＬＣソフトウェアモジュールは、それらの制御データを制御データ内のそれらのＨＤＬＣアドレスに従って、キューから取得し、制御データを高レベルソフトウェアモジュールに転送する。
【０１２９】
ＲＥが制御データを送信する場合、ＦＰＧＡは、２つのＨＤＬＣソフトウェアモジュールからの制御データ（第１のＲＥＣに送信される上りリンク制御データ、及び第２のＲＥＣに送信される上りリンク制御データ）を結合し、制御データを複製し、一方の複製を第１のポートを介して、他方の複製を第２のポートを介して送信する。第１のＲＥＣに送信される上りリンク制御データは、第１のＲＥＣによって割り当てられたＨＤＬＣアドレスを運び、第２のＲＥＣに送信される上りリンク制御データは、第２のＲＥＣによって割り当てられたＨＤＬＣアドレスを運ぶ。
【０１３０】
ＲＥＣが制御データを受信した後、ＲＥＣのＨＤＬＣソフトウェアモジュールは、制御データ内のＨＤＬＣアドレスに従って、その制御データを、受信した無線アクセス技術から取得し、取得した制御データを高レベルソフトウェアモジュールに転送する。
【０１３１】
あるいは、ＲＥが制御データを送信する場合、インタフェースモジュールは、第１のＨＤＬＣソフトウェアモジュールからの制御データを第２のＨＤＬＣソフトウェアモジュールからの制御データと区別し、第１のＲＥＣの制御データ（第１のＨＤＬＣソフトウェアモジュールからの制御データ）を第１のポートから送信し、第２のＲＥＣの制御データ（第２のＨＤＬＣソフトウェアモジュールからの制御データ）を第２のポートから送信する。
【０１３２】
前述の図１１、図１２、図１３、及び図１４におけるＲＥＣのＣＰＲＩポートの数は、１つに限定されず、２つ以上のポートが利用可能であってもよく、これは本発明の実施形態の実施に影響を及ぼさない、ということに留意されたい。
【０１３３】
本発明の上述の実施形態で提供された双方向リンクモード及びデュアルスターリンクモードは、ＲＥＣがリンクの２つの端において配置された場合に適用可能である。しかし、ＣＰＲＩリンク上のＲＥの一方の側におけるＣＰＲＩポートが切断された場合、正常なＣＰＲＩポートが受信するリンクモードがデュアルスターリンクモードである場合、ＲＥは正常なポートを介して対応するＲＥＣと通信し、正常なＣＰＲＩポートが受信するリンクモードが双方向リンクモードである場合、受信及び送信されているＣＰＲＩデータは切断されたポートにおいて終端され、その理由は、ＣＰＲＩポートが切断されたＲＥは実際にはリンク上の最後のノードだからである。データは、双方向リンクモードに従って、正常なＣＰＲＩポートにおいて受信及び送信される。
【０１３４】
具体的には、ＲＥは、ポートＩＤ及びスロットＩＤなどの制御ワードを正常なポートから受信し、それらの制御ワードを転送しない。下りリンクサービスデータを受信する間、ＲＥのインタフェースモジュール（例えば、ＦＰＧＡ）は、そのサービスデータを、正常なポートから受信された下りリンクサービスデータから取得し、取得したサービスデータを高レベルソフトウェアに送信する。下りリンクサービスデータは、もはや転送されない。上りリンクサービスデータを送信する間、ホップ数が１に初期化され、送信される必要がある上りリンクサービスデータは、正常なポートから送信される。
【０１３５】
図１１を参照して、図１１における第２のＲＥの第２のポートが切断されたと仮定する。１つの方向では、第１のＲＥＣが、下りリンクサービスデータをＣＰＲＩリンク上で送信し、第１のＲＥは、下りリンクサービスデータを第１のポートを介して受信し、第１のＲＥが必要とするサービスデータを取得し、サービスデータを高レベルソフトウェアモジュールに送信し、第２のＲＥＣに送信される必要がある上りリンクサービスデータを下りリンクサービスデータと結合し、結合されたデータを第２のポートを介して送信する。第２のＲＥは、サービスデータを第１のポートを介して受信し、第２のＲＥが必要とする下りリンクサービスデータを取得し、サービスデータを高レベルソフトウェアモジュールに送信する。第２のポートは切断されているため、第２のＲＥは、第２のポートを介してデータをもはや継続して転送しない。別の方向では、第２のＲＥは、第１のＲＥＣに送信される必要がある上りリンクサービスデータを第１のポートから送信し、第２のＲＥによって第１のポートを介して送信されたサービスデータを第２のポートを介して受信した後、第１のＲＥは、第１のＲＥＣに送信される必要がある上りリンクサービスデータを受信したサービスデータと結合し、結合されたデータを第１のポートから送信する。
【０１３６】
ＲＥの２つのポートが両方とも切断された場合、異常処理が実行され、ポートは一定期間後に自動的に回復する。
【０１３７】
ＲＥの１つのポートが切断され、正常である残りのポートによって受信されるリンクモード指示情報が単方向リンクモードにある場合、ＲＥのＣＰＲＩリンクは、単方向リンクモードに切り換えられる。この場合、処理は従来技術におけるものと同じであり、これについてはここでは詳述しない。
【０１３８】
本発明の別の実施形態は、基地局装置を提供する。この基地局装置は、双方向リンクモードに適用可能である。この基地局装置は、複数の無線アクセス技術をサポートし、ＲＥと、無線アクセス技術の第１のグループをサポートする第１のＲＥＣと、無線アクセス技術の第２のグループをサポートする第２のＲＥＣとを含む。
【０１３９】
第１のＲＥＣは、無線アクセス技術の第１のグループに対応する下りリンクデータを、ＲＥに送信するように構成される。
【０１４０】
ＲＥは、第１のポートを介して、第１のＲＥＣによってサポートされる無線アクセス技術の第１のグループに対応する下りリンクデータを受信し、受信した無線アクセス技術の第１のグループに対応する下りリンクデータからそのＲＥのデータを取得し、無線アクセス技術の第２のグループに対応する上りリンクデータを、受信した無線アクセス技術の第１のグループに対応する下りリンクデータと結合し、次に、結合されたデータを第２のポートを介して送信するように構成される。
【０１４１】
第２のＲＥＣは、ＲＥによって第２のポートを介して送信されたデータを受信し、無線アクセス技術の第２のグループに対応する上りリンクデータを、受信したデータから取得するように構成される。
【０１４２】
リンクモードを判定し、リンクモードに関する指示情報をＲＥに送信するために、第１のＲＥＣは、リンクから受信したスロットＩＤに従って、第１のＲＥＣによってサポートされる無線アクセス技術のグループと第２のＲＥＣによってサポートされる無線アクセス技術のグループとが異なることを判定し、リンクモードが双方向リンクモードであることをリンクから受信されたホップ数に従って判定し、Ｌ１情報をＲＥに送信するように更に構成され、ここで、Ｌ１情報は、双方向リンクモードを示す情報を含み、あるいは、第１のＲＥＣは、リンクから受信された無線アクセス技術情報に従って、第２のＲＥＣによってサポートされる無線アクセス技術のグループと第１のＲＥＣによってサポートされる無線アクセス技術のグループとが異なることを判定し、リンクモードが双方向リンクモードであることをリンクから受信されたホップ数に従って判定し、Ｌ１情報をＲＥに送信するように更に構成され、ここで、Ｌ１情報は双方向リンクモードを示す情報を含む。
【０１４３】
必要に応じて、第１のＲＥＣは、判定されたリンクモードが予め設定されたリンクモードと異なる場合に、リンクモードが異常であることを示すアラームを報告するように更に構成される。
【０１４４】
ＲＥがポートによってサポートされる無線アクセス技術をより良く判定するのを容易にするために、第１のＲＥＣは、第１のＲＥＣのスロットＩＤを含むＬ１情報を送信し、第１のＲＥＣのスロットＩＤと無線アクセス技術の第１のグループに関する指示情報とを含むＨＤＬＣリンクセットアップメッセージをブロードキャストするように更に構成される。第２のＲＥＣは、第２のＲＥＣのスロットＩＤを含むＬ１情報を送信し、ＨＤＬＣリンクセットアップメッセージをブロードキャストするように更に構成され、ここで、ＨＤＬＣリンクセットアップメッセージは、第２のＲＥＣのスロットＩＤと無線アクセス技術の第２のグループに関する指示情報とを含む。ＲＥは、第１のＲＥＣによって送信されたＬ１情報と第１のＲＥＣによってブロードキャストされたＨＤＬＣリンクセットアップメッセージとを受信し、第１のＲＥＣのスロットＩＤに従って、第１のＲＥＣによって送信されたＬ１情報を受信した第１のポートが無線アクセス技術の第１のグループをサポートすることを判定するように構成され、第２のＲＥＣによって送信されたＬ１情報と第２のＲＥＣによってブロードキャストされたＨＤＬＣリンクセットアップメッセージとを受信し、第２のＲＥＣのスロットＩＤに従って、第２のＲＥＣによって送信されたＬ１情報を受信した第２のポートが無線アクセス技術の第２のグループをサポートすることを判定するように更に構成される。
【０１４５】
あるいは、ＲＥがポートによってサポートされる無線アクセス技術をより良く判定するのを容易にするために、第１のＲＥＣはＬ１情報を送信するように更に構成され、ここで、Ｌ１情報は、第１のＲＥＣのスロットＩＤと無線アクセス技術の第１のグループに関する情報とを含む。第２のＲＥＣは、Ｌ１情報を送信するように更に構成され、ここで、Ｌ１情報は、第２のＲＥＣのスロットＩＤと、無線アクセス技術の第２のグループに関する情報とを含む。ＲＥは、第１のＲＥＣによって送信されたＬ１情報を受信し、第１のＲＥＣによって送信されたＬ１情報を受信した第１のポートが無線アクセス技術の第１のグループをサポートすることを判定するように構成され、第２のＲＥＣによって送信されたＬ１情報を受信し、第２のＲＥＣによって送信されたＬ１情報を受信した第２のポートが無線アクセス技術の第２のグループをサポートすることを判定するように構成される。
【０１４６】
前述のセクションでは、１つの方向（すなわち、第１のＲＥＣから第２のＲＥＣへの方向）におけるデータ伝送のプロセスについて説明したということを理解するのは容易であり、別の方向（すなわち、第２のＲＥＣから第１のＲＥＣへの方向）におけるデータ伝送のプロセスについて、以下に説明する。
【０１４７】
第２のＲＥＣは、無線アクセス技術の第２のグループに対応する下りリンクデータを、ＲＥに送信するように構成される。
【０１４８】
ＲＥは、第２のポートを介して、第２のＲＥＣによってサポートされる無線アクセス技術の第２のグループに対応する下りリンクデータを受信し、受信した無線アクセス技術の第２のグループに対応する下りリンクデータからそのＲＥのデータを取得し、無線アクセス技術の第１のグループに対応する上りリンクデータを無線アクセス技術の第２のグループに対応する下りリンクデータと結合し、結合されたデータを第１のポートを介して送信するように構成される。
【０１４９】
第１のＲＥＣは、ＲＥによって第１のポートを介して送信されたデータを受信し、無線アクセス技術の第１のグループに対応する上りリンクデータを受信したデータから取得するように構成される。
【０１５０】
本発明の上記の実施形態で提供される基地局のＣＰＲＩリンクは、双方向リンクモードにある。ＲＥは、ＲＥの２つのポートによってそれぞれサポートされる無線アクセス技術を判定し、無線アクセス技術に対応するデータ（例えば、サービスデータ又は制御データ）を２つのポートを介して送信して、基地局が複数の無線アクセス技術をサポートする場合にＲＥがサービスデータ又は制御データを正常に送信できることを確実にする。
【０１５１】
本発明の別の実施形態は、基地局装置を提供する。この基地局装置は、デュアルスターリンクモードに適用可能であり、ＲＥと、無線アクセス技術の第１のグループをサポートする第１のＲＥＣと、無線アクセス技術の第２のグループをサポートする第２のＲＥＣとを含む。
【０１５２】
第１のＲＥＣは、無線アクセス技術の第１のグループに対応する下りリンクデータをＲＥに送信し、無線アクセス技術の第１のグループに対応する上りリンクデータをＲＥから受信するように構成される。
【０１５３】
第２のＲＥＣは、無線アクセス技術の第２のグループに対応する下りリンクデータをＲＥに送信し、無線アクセス技術の第２のグループに対応する上りリンクデータをＲＥから受信するように構成される。
【０１５４】
リンクモードを判定し、リンクモードに関する指示情報をＲＥに送信するために、第１のＲＥＣは、リンクから受信したスロットＩＤに従って、第１のＲＥＣによってサポートされる無線アクセス技術のグループと第２のＲＥＣによってサポートされる無線アクセス技術のグループとが異なることを判定し、リンクモードが双方向リンクモードであることをリンクから受信されたホップ数に従って判定し、Ｌ１情報をＲＥに送信するように更に構成され、ここで、Ｌ１情報は、双方向リンクモードを示す情報を含み、あるいは、第１のＲＥＣは、リンクから受信した無線アクセス技術情報に従って、第２のＲＥＣによってサポートされる無線アクセス技術のグループと第１のＲＥＣによってサポートされる無線アクセス技術のグループとが異なることを判定し、リンクモードが双方向リンクモードであることをリンクから受信したホップ数に従って判定し、Ｌ１情報をＲＥに送信するように更に構成され、ここで、Ｌ１情報は、双方向リンクモードを示す情報を含む。
【０１５５】
必要に応じて、第１のＲＥＣは、判定されたリンクモードが予め設定されたリンクモードと異なる場合に、リンクモードが異常であることを示すアラームを報告するように更に構成される。
【０１５６】
ＲＥが、ポートによってサポートされる無線アクセス技術をより良く判定するのを容易にするために、第１のＲＥＣは、第１のＲＥＣのスロットＩＤを含むＬ１情報を送信し、ＨＤＬＣリンクセットアップメッセージをブロードキャストするように更に構成され、ここで、ＨＤＬＣリンクセットアップメッセージは、第１のＲＥＣのスロットＩＤと、無線アクセス技術の第１のグループに関する指示情報とを含む。第２のＲＥＣは、第２のＲＥＣのスロットＩＤを含むＬ１情報を送信し、ＨＤＬＣリンクセットアップメッセージをブロードキャストするように更に構成され、ここで、ＨＤＬＣリンクセットアップメッセージは、第２のＲＥＣのスロットＩＤと、無線アクセス技術の第２のグループに関する指示情報とを含む。ＲＥは、第１のＲＥＣによって送信されたＬ１情報と第１のＲＥＣによってブロードキャストされたＨＤＬＣリンクセットアップメッセージとを受信し、第１のＲＥＣのスロットＩＤに従って、第１のＲＥＣによって送信されたＬ１情報を受信した第１のポートが無線アクセス技術の第１のグループをサポートすることを判定するように構成され、第２のＲＥＣによって送信されたＬ１情報と第２のＲＥＣによってブロードキャストされたＨＤＬＣリンクセットアップメッセージとを受信し、第２のＲＥＣのスロットＩＤに従って、第２のＲＥＣによって送信されたＬ１情報を受信した第２のポートが無線アクセス技術の第２のグループをサポートすることを判定するように更に構成される。
【０１５７】
あるいは、ＲＥがＲＥのポートによってサポートされる無線アクセス技術をより良く判定するのを容易にするために、第１のＲＥＣは、Ｌ１情報を送信するように更に構成され、ここで、Ｌ１情報は、第１のＲＥＣのスロットＩＤと、無線アクセス技術の第１のグループに関する情報とを含む。第２のＲＥＣは、Ｌ１情報を送信するように更に構成され、ここで、Ｌ１情報は、第２のＲＥＣのスロットＩＤと、無線アクセス技術の第２のグループに関する情報とを含む。ＲＥは、第１のＲＥＣによって送信されたＬ１情報を受信し、第１のＲＥＣによって送信されたＬ１情報を受信した第１のポートが無線アクセス技術の第１のグループをサポートすることを判定するように構成され、第２のＲＥＣによって送信されたＬ１情報を受信し、第２のＲＥＣによって送信されたＬ１情報を受信した第２のポートが無線アクセス技術の第２のグループをサポートすることを判定するように構成される。
【０１５８】
本発明の前述の実施形態で提供される基地局のＣＰＲＩリンクは、デュアルスターリンクモードにある。ＲＥは、ＲＥの２つのポートによってそれぞれサポートされる無線アクセス技術を判定し、無線アクセス技術に対応するデータ（例えば、サービスデータ又は制御データ）を２つのポートを使用することによって送信して、基地局が複数の無線アクセス技術をサポートする場合に、ＲＥがサービスデータ又は制御データを正常に送信できることを確実にする。
【０１５９】
図１５を参照すると、本発明の一実施形態は、無線装置（ＲＥ）を提供する。ＲＥは、インタフェースモジュール１５０１と、信号処理モジュール１５０２と、ソフトウェアモジュール１５０３とを含む。ソフトウェアモジュール１５０３は、低レベルソフトウェアモジュール１５０３１と、第１のＨＤＬＣソフトウェアモジュール１５０３２１と、第２のＨＤＬＣソフトウェアモジュール１５０３２２と、高レベルソフトウェアモジュール１５０３３とを含む。このＲＥは、双方向リンクモードに適用される。
【０１６０】
インタフェースモジュール１５０１は、無線アクセス技術の第１のグループに対応し、第１のＲＥＣによって送信され、ＲＥによって第１のポートを介して受信した下りリンクサービスデータから、ＲＥのサービスデータを取得するように構成され、無線アクセス技術の第２のグループに対応し、第２のＲＥＣによって送信され、ＲＥから第２のポートを介して受信した下りリンクサービスデータから、ＲＥのサービスデータを取得するように構成される。
【０１６１】
信号処理モジュール１５０２は、無線アクセス技術の第１のグループに対応する下りリンクサービスデータをインタフェースモジュール１５０１から受信し、第２のＲＥＣによってサポートされる無線アクセス技術の第２のグループに対応する上りリンクサービスデータをインタフェースモジュール１５０１に送信するように構成され、無線アクセス技術の第２のグループに対応する下りリンクサービスデータをインタフェースモジュール１５０１から受信し、第１のＲＥＣによってサポートされる無線アクセス技術の第１のグループに対応する上りリンクサービスデータをインタフェースモジュール１５０１に送信するように構成される。
【０１６２】
インタフェースモジュール１５０１は、信号処理モジュール１５０２からの無線アクセス技術の第２のグループに対応する上りリンクサービスデータを、無線アクセス技術の第１のグループに対応する下りリンクサービスデータと結合し、次に、第２のポートを介して、結合されたデータを第２のＲＥＣに送信し、信号処理モジュール１５０２からの無線アクセス技術の第１のグループに対応する上りリンクサービスデータを、無線アクセス技術の第２のグループに対応する下りリンクサービスデータと結合し、次に、結合されたデータを第１のＲＥＣに第１のポートから送信する。
【０１６３】
具体的には、ポートによってサポートされる無線アクセス技術を判定するために、インタフェースモジュール１５０１は、レイヤ１情報とＨＤＬＣリンクセットアップメッセージとを、第１のポートを介して受信するように構成され（ここで、Ｌ１情報は、第１のＲＥＣのスロットＩＤを含み、ＨＤＬＣリンクセットアップメッセージは、第１のＲＥＣのスロットＩＤと、無線アクセス技術の第１のグループに関する指示情報とを含み）、Ｌ１情報とＨＤＬＣリンクセットアップメッセージとを第２のポートから受信するように更に構成される（ここで、Ｌ１情報は、第２のＲＥＣのスロットＩＤを含み、ＨＤＬＣリンクセットアップメッセージは、第２のＲＥＣのスロットＩＤと、無線アクセス技術の第２のグループに関する指示情報とを含む）。高レベルソフトウェアモジュール１５０３３は、第１のＲＥＣのスロットＩＤと第１のポートに関する指示情報とを、低レベルソフトウェアモジュール１５０３１を介して読み取り、第１のＨＤＬＣソフトウェアモジュール１５０３２１を介して、第１のポートから受信されたＨＤＬＣリンクセットアップメッセージ内の第１のＲＥＣのスロットＩＤと無線アクセス技術の第１のグループに関する指示情報とを読み取り、第１のＲＥＣのスロットＩＤに従って、第１のポートが無線アクセス技術の第１のグループをサポートすることを判定するように構成され、低レベルソフトウェアモジュール１５０３１を介して、第２のＲＥＣのスロットＩＤと第２のポートに関する指示情報と（第２のポートに関する指示情報は、ポートＩＤであってもよく、第２のポートを識別するために使用される）を読み取り、第２のＨＤＬＣソフトウェアモジュール１５０３２２を介して、第２のポートから受信されたＨＤＬＣリンクセットアップメッセージ内の第２のＲＥＣのスロットＩＤと無線アクセス技術の第２のグループに関する指示情報とを読み取り、第２のＲＥＣのスロットＩＤに従って、第２のポートが無線アクセス技術の第２のグループをサポートすることを判定するように構成される。
【０１６４】
あるいは、具体的には、ポートによってサポートされる無線アクセス技術を判定するために、インタフェースモジュール１５０１は、第１のポートを介して、無線アクセス技術の第１のグループに関する指示情報を含むＬ１情報を受信するように構成され、第２のポートを介して、無線アクセス技術の第２のグループに関する指示情報を含むＬ１情報を受信するように更に構成される。高レベルソフトウェアモジュール１５０３３は、低レベルソフトウェアモジュール１５０３１を介して、無線アクセス技術の第１のグループに関する指示情報と第１のポートに関する指示情報とを読み取り、第１のポートが無線アクセス技術の第１のグループをサポートすることを判定するように構成され、低レベルソフトウェアモジュール１５０３１を介して、無線アクセス技術の第２のグループに関する指示情報と第２のポートに関する指示情報とを読み取り、第２のポートが無線アクセス技術の第２のグループをサポートすることを判定するように構成される。
【０１６５】
制御データを送信するために、インタフェースモジュール１５０１は、制御データを第１のポート及び第２のポートから受信し、受信した制御データをキューイングするように構成され、第１のＨＤＬＣソフトウェアモジュール１５０３２１からの無線アクセス技術の第１のグループに対応する上りリンク制御データを、第２のＨＤＣＬソフトウェアモジュール１５０３２２からの無線アクセス技術の第２のグループに対応する上りリンク制御データと結合し、結合された制御データを複製するように構成され、一方の複製を第１のポートから受信した制御データと結合し、結合されたデータを第２のポートを介して送信し、他方の複製を第２のポートを介して受信した制御データと結合し、結合されたデータを第１のポートを介して送信するように更に構成される。第１のＨＤＬＣソフトウェアモジュール１５０３２１は、無線アクセス技術の第１のグループに対応する下りリンク制御データを、キュー内の制御データのＨＤＬＣアドレスと、第１のＲＥＣによってＲＥに割り当てられた保存されたＨＤＬＣアドレスとに従って取得するように更に構成される。第２のＨＤＬＣソフトウェアモジュール１５０３２２は、無線アクセス技術の第２のグループに対応する下りリンク制御データを、キュー内の制御データ内のＨＤＬＣアドレスと第２のＲＥＣによってＲＥに割り当てられた保存されたＨＤＬＣアドレスとに従って取得するように構成される。
【０１６６】
無線アクセス技術に対応するＨＤＬＣアドレス（すなわち、様々なＲＥＣによってＲＥに割り当てられるＨＤＬＣアドレス）を取得及び保存するために、第１のＨＤＬＣソフトウェアモジュール１５０３２１は、第１のＲＥＣによってブロードキャストされたＨＤＬＣリンクセットアップメッセージを受信し（ここで、ＨＤＬＣリンクセットアップメッセージは、ＲＥによってサポートされる無線アクセス技術の第１のグループに対応するホップ数と、第１のＲＥＣによってＲＥに割り当てられるＨＤＬＣアドレスとを含み）、ＲＥによってサポートされる無線アクセス技術の第１のグループに対応するホップ数に従って、ＨＤＬＣリンクセットアップメッセージから、第１のＲＥＣによってＲＥに割り当てられるＨＤＬＣアドレスを取得し、取得したＨＤＬＣアドレスを保存するように構成される。第２のＨＤＬＣソフトウェアモジュール１５０３２２は、第２のＲＥＣによってブロードキャストされたＨＤＬＣリンクセットアップメッセージを受信し（ここで、第２のＲＥＣによってブロードキャストされたＨＤＬＣリンクセットアップメッセージは、ＲＥによってサポートされる無線アクセス技術の第２のグループに対応するホップ数と、第２のＲＥＣによってＲＥに割り当てられるＨＤＬＣアドレスとを含み）、ＲＥによってサポートされる無線アクセス技術の第２のグループのホップ数に従って、ＨＤＬＣリンクセットアップメッセージから、第２のＲＥＣによってＲＥに割り当てられるＨＤＬＣアドレスを取得し、取得したＨＤＬＣアドレスを保存するように構成される。
【０１６７】
本発明の前述の実施形態で提供されるＣＰＲＩリンクは、双方向リンクモードにある。ＲＥは、ＲＥの２つのポートによってそれぞれサポートされる無線アクセス技術を判定して、基地局が複数の無線アクセス技術をサポートする場合に、２つのポートを介して、ＲＥがサービスデータを正常に送信できること、及び、ＲＥが無線アクセス技術に対応する制御データを送信することを確実にする。
【０１６８】
本発明の別の実施形態は、デュアルスターリンクに適用されるＲＥを提供する。ＲＥ内に含まれるモジュールの名前及びモジュール間の接続については、図１５が参照され得る。モジュール間の接続について、以下に説明する。
【０１６９】
インタフェースモジュールは、第１のポートを介して、第１のＲＥＣから、無線アクセス技術の第１のグループに対応する下りリンクサービスデータを受信し、受信したサービスデータを信号処理モジュールに送信するように構成され、第２のポートを介して、第２のＲＥＣから、無線アクセス技術の第２のグループに対応する下りリンクサービスデータを受信し、データを信号処理モジュールに送信するように構成される。
【０１７０】
信号処理モジュールは、無線アクセス技術の第１のグループに対応する下りリンクサービスデータをインタフェースモジュールから受信し、第１のＲＥＣによってサポートされる無線アクセス技術の第１のグループに対応する上りリンクサービスデータをインタフェースモジュールに送信するように構成され、無線アクセス技術の第２のグループに対応する下りリンクサービスデータをインタフェースモジュールから受信し、第２のＲＥＣによってサポートされる無線アクセス技術の第２のグループに対応する上りリンクサービスデータをインタフェースモジュールに送信するように構成される。
【０１７１】
インタフェースモジュールは、第１のポートを介して、信号処理モジュールからの無線アクセス技術の第１のグループをサポートする第１のＲＥＣの上りリンクサービスデータを第１のＲＥＣに送信し、第２のポートを介して、信号処理モジュールからの無線アクセス技術の第２のグループをサポートする第２のＲＥＣの上りリンクサービスデータを第２のＲＥＣに送信する。
【０１７２】
具体的には、ポートによってサポートされる無線アクセス技術を判定するために、インタフェースモジュールは、第１のポートを介して、Ｌ１情報とＨＤＬＣリンクセットアップメッセージとを受信するように構成され（ここで、第１のポートを介して受信されるＬ１情報は、第１のＲＥＣのスロットＩＤを含み、第１のポートを介して受信されるＨＤＬＣリンクセットアップメッセージは、第１のＲＥＣのスロットＩＤと、無線アクセス技術の第１のグループに関する指示情報とを含み）、Ｌ１情報とＨＤＬＣリンクセットアップメッセージとを第２のポートを介して受信するように更に構成される（ここで、第２のポートを介して受信されるＬ１情報は、第２のＲＥＣのスロットＩＤを含み、第２のポートを介して受信されるＨＤＬＣリンクセットアップメッセージは、第２のＲＥＣのスロットＩＤと、無線アクセス技術の第２のグループに関する指示情報とを含む）。高レベルソフトウェアモジュールは、低レベルソフトウェアモジュールを介して、第１のＲＥＣのスロットＩＤと第１のポートに関する指示情報とを読み取り、第１のＨＤＬＣソフトウェアモジュールを介して、第１のポートから受信されたＨＤＬＣリンクセットアップメッセージ内の第１のＲＥＣのスロットＩＤと無線アクセス技術の第１のグループに関する指示情報とを読み取り、第１のＲＥＣのスロットＩＤに従って、第１のポートが無線アクセス技術の第１のグループをサポートすることを判定するように構成され、低レベルソフトウェアモジュールを介して、第２のＲＥＣのスロットＩＤと第２のポートに関する指示情報とを読み取り、第２のＨＤＬＣソフトウェアモジュールを介して、第２のポートを介して受信されたＨＤＬＣリンクセットアップメッセージ内の第２のＲＥＣのスロットＩＤと無線アクセス技術の第２のグループに関する指示情報とを読み取り、第２のＲＥＣのスロットＩＤに従って、第２のポートが無線アクセス技術の第２のグループをサポートすることを判定するように構成される。
【０１７３】
あるいは、ポートによってサポートされる無線アクセス技術を判定するために、インタフェースモジュールは、第１のポートを介して、無線アクセス技術の第１のグループに関する指示情報を含むＬ１情報を受信するように構成され、第２のポートを介して、無線アクセス技術の第２のグループに関する指示情報を含むＬ１情報を受信するように更に構成される。高レベルソフトウェアモジュールは、低レベルソフトウェアモジュールを介して、無線アクセス技術の第１のグループに関する指示情報と第１のポートに関する指示情報とを読み取り、第１のポートが無線アクセス技術の第１のグループをサポートすることを判定するように構成され、無線アクセス技術の第２のグループに関する指示情報と第２のポートに関する指示情報とを、低レベルソフトウェアモジュールを介して読み取り、第２のポートが無線アクセス技術の第２のグループをサポートすることを判定するように構成される。
【０１７４】
制御データを送信するために、インタフェースモジュールは、制御データを第１及び第２のポートを介して受信し、受信した制御データをキューイングするように構成され、第１のＨＤＬＣソフトウェアモジュールからの無線アクセス技術の第１のグループに対応する上りリンク制御データを、第２のＨＤＬＣソフトウェアモジュールからの無線アクセス技術の第２のグループに対応する上りリンク制御データと結合し、結合された制御データを複製し、次に、制御データの複製をそれぞれ第１のポート及び第２のポートから送信するように更に構成される。第１のＨＤＬＣソフトウェアモジュールは、キューから、無線アクセス技術の第１のグループに対応する下りリンク制御データを、キュー内の制御データ内のＨＤＬＣアドレスと第１のＲＥＣによってＲＥに割り当てられた保存されたＨＤＬＣアドレスとに従って取得するように構成される。第２のＨＤＬＣソフトウェアモジュールは、キューから、無線アクセス技術の第２のグループに対応する下りリンク制御データを、キュー内の制御データ内のＨＤＬＣアドレスと第２のＲＥＣによってＲＥに割り当てられた保存されたＨＤＬＣアドレスとに従って取得するように更に構成される。
【０１７５】
ＨＤＬＣアドレスを取得及び保存するために、第１のＨＤＬＣソフトウェアモジュールは、第１のＲＥＣによってブロードキャストされたＨＤＬＣリンクセットアップメッセージを受信し（ここで、ＨＤＬＣリンクセットアップメッセージは、ＲＥによってサポートされる無線アクセス技術の第１のグループに対応するホップ数と、ホップ数に対応し、第１のＲＥＣによって割り当てられるＨＤＬＣアドレスとを含み）、ＲＥによってサポートされる無線アクセス技術の第１のグループに対応するホップ数に対応するＨＤＬＣアドレスを取得し、取得したＨＤＬＣアドレスを保存するように更に構成される。第２のＨＤＬＣソフトウェアモジュールは、第２のＲＥＣによってブロードキャストされたＨＤＬＣリンクセットアップメッセージを受信し（ここで、ＨＤＬＣリンクセットアップメッセージは、ＲＥによってサポートされる無線アクセス技術の第２のグループに対応するホップ数と、ホップ数に対応し、第２のＲＥＣによって割り当てられるＨＤＬＣアドレスとを含み）、ＲＥによってサポートされる無線アクセス技術の第２のグループに対応するホップ数に対応するＨＤＬＣアドレスを取得し、取得したＨＤＬＣアドレスを保存するように更に構成される。
【０１７６】
本発明の前述の実施形態で提供されるＣＰＲＩリンクは、デュアルスターリンクモードにある。ＲＥは、ＲＥの２つのポートによってそれぞれサポートされる無線アクセス技術を判定し、無線アクセス技術に対応するサービスデータを２つのポートから送信して、基地局が複数の無線アクセス技術をサポートする場合に、ＲＥがサービスデータを正常に送信できることを確実にする。加えて、ＲＥは、この実施形態により、基地局が複数の無線アクセス技術をサポートする場合に、制御データを正常に送信することが可能である。
【０１７７】
本発明の一実施形態は、無線装置コントローラ（ＲＥＣ）を提供し、その構成は図１６に示されている。図１６を参照すると、ＲＥＣは、インタフェースモジュール１６０１と、信号処理モジュール１６０２と、ソフトウェアモジュール１６０３とを含む。ソフトウェアモジュール１６０３は、低レベルソフトウェアモジュール１６０３１と、ＨＤＬＣソフトウェアモジュール１６０３２と、高レベルソフトウェアモジュール１６０３３とを含む。
【０１７８】
インタフェースモジュール１６０１は、ピアＲＥＣによってＲＥを介して送信されたサービスデータを受信し、ＲＥＣによってサポートされる無線アクセス技術に対応する上りリンクサービスデータを取得するように構成される。サービスデータが送信され、ＲＥを通過する場合、ＲＥＣによってサポートされる無線アクセス技術に対応し、ＲＥによってＲＥＣに送信される上りリンクサービスデータが、サービスデータに追加される。
【０１７９】
信号処理モジュール１６０２は、インタフェースモジュール１６０１から、ＲＥＣによってサポートされる無線アクセス技術に対応する上りリンクサービスデータを受信するように構成される。
【０１８０】
制御データを送信するために、インタフェースモジュール１６０１は、制御データを受信するように更に構成され、ＨＤＬＣソフトウェアモジュール１６０３２は、ＲＥＣによってサポートされる無線アクセス技術に対応する制御データを、インタフェースモジュール１６０１によって受信された制御データから取得するように構成される。
【０１８１】
リンクモードを判定するために、インタフェースモジュール１６０１は、Ｌ１情報を第１のポートから受信するように更に構成され、ここで、Ｌ１情報は、ピアＲＥＣのスロットＩＤとピアＲＥＣのホップ数とを含む。高レベルソフトウェアモジュール１６０３３は、ピアＲＥＣのスロットＩＤ及びホップ数を低レベルソフトウェアモジュール１６０３１を介して読み取り、ピアＲＥＣのスロットＩＤに従って、ピアＲＥＣによってサポートされる無線アクセス技術のグループとＲＥＣによってサポートされる無線アクセス技術のグループとが異なることを判定し、リンクモードが双方向リンクモード又はデュアルスターモードであることをホップ数に従って判定し、低レベルソフトウェアモジュール１６０３１を介してＬ１情報を送信するようインタフェースモジュール１６０１を制御し、ここで、Ｌ１情報は、判定されたリンクモードに関する指示情報を含む。
【０１８２】
あるいは、リンクモードを判定するために、インタフェースモジュール１６０１は、Ｌ１情報を第１のポートから受信するように更に構成され、ここで、Ｌ１情報は、ピアＲＥＣによってサポートされる無線アクセス技術に関する指示情報とホップ数とを含む。高レベルソフトウェアモジュール１６０３３は、低レベルソフトウェアモジュール１６０３１を介して、ピアＲＥＣによってサポートされる無線アクセス技術に関する指示情報とホップ数とを読み取り、ピアＲＥＣによってサポートされる無線アクセス技術に関する指示情報に従って、ピアＲＥＣによってサポートされる無線アクセス技術のグループとＲＥＣによってサポートされる無線アクセス技術のグループとが異なることを判定し、リンクが双方向リンクモード又はデュアルスターモードであることをホップ数に従って判定し、低レベルソフトウェアモジュール１６０３１を介してＬ１情報を送信するようインタフェースモジュール１６０１を制御するように構成され、ここで、Ｌ１情報は、判定されたリンクモードに関する指示情報を含む。
【０１８３】
必要に応じて、高レベルソフトウェアモジュール１６０３３は、判定されたリンクモードが予め設定されたリンクモードと異なる場合に、リンクモードが異常であることを示すアラームを報告するように更に構成される。
【０１８４】
前述の実施形態によれば、ＲＥＣは、受信されたサービスデータから、そのＲＥＣによってサポートされる無線アクセス技術に対応する上りリンクサービスデータを取得し、そのＲＥＣに属さないサービスデータを廃棄して、基地局が複数の無線アクセス技術をサポートできることを確実にすることが可能である。
【０１８５】
前述の方法におけるステップの全て又は一部は、関連するハードウェアに指示するプログラムによって実施されてもよいということを当業者は理解できる。プログラムは、コンピュータ読み取り可能な記憶媒体内に記憶されてもよい。記憶媒体は、読み取り専用メモリ（ＲＯＭ）、ランダムアクセスメモリ（ＲＡＭ）、磁気ディスク、又はコンパクトディスクであってもよい。
【０１８６】
本発明の実施形態による複数の無線アクセス技術をサポートする基地局及びＣＰＲＩリンク上でのデータ伝送方法について上記で説明した。本発明の原理及び実施方法についていくつかの例示的実施形態を介して説明してきた。前述の実施形態は、本発明の方法及び中心的精神を理解することを助けるものにすぎない。更に、本発明の概念に従って当業者は本実施方法及び適用範囲の下で様々な修正を行うことが可能である。従って、本発明の明細書の内容は、本発明を限定することを意図するものではない。
【０１８７】
本出願は、２００９年３月２０日に中国専利局に出願された「ＭＥＴＨＯＤ  ＡＮＤ  ＤＥＶＩＣＥ  ＦＯＲ  ＤＡＴＡ  ＴＲＡＮＳＭＩＳＳＩＯＮ（データ伝送の方法及び装置）」と題された中国特許出願第２００９１０１２９５０７．６号の優先権を主張するものであり、当該出願はその全体が参照によって本明細書中に援用される。
【図１】
0005341249.tif 000006
【図２】
0005341249.tif 000007
【図３】
0005341249.tif 000008
【図４】
0005341249.tif 000009
【図５】
0005341249.tif 000010
【図６】
0005341249.tif 000011
【図７】
0005341249.tif 000012
【図８】
0005341249.tif 000013
【図９】
0005341249.tif 000014
【図１０】
0005341249.tif 000015
【図１１Ａ】
0005341249.tif 000016
【図１１Ｂ】
0005341249.tif 000017
【図１２】
0005341249.tif 000018
【図１３Ａ】
0005341249.tif 000019
【図１３Ｂ】
0005341249.tif 000020
【図１４】
0005341249.tif 000021
【図１５】
0005341249.tif 000022
【図１６】
0005341249.tif 000023